(57)【特許請求の範囲】
【請求項１】
少なくとも２つのチャネルを有するマルチチャネルオーディオ信号のオーディオ入力チャネル群の信号表現に作用する符号化手順全体に基づくオーディオ符号化方法であって、
前記オーディオ入力チャネル群のダウンミックス信号を含む第１の信号表現を符号化するための第１の符号化処理を行うステップ（Ｓ１）と、
前記第１の符号化処理に関連して局所合成が行われ、前記第１の符号化処理の符号化誤差の表現を含む局所復号化ダウンミックス信号を生成するステップ（Ｓ２）と、
少なくとも前記局所復号化ダウンミックス信号を入力として使用し、前記オーディオ入力チャネル群の第２の表現を符号化するための第２の符号化処理を行うステップ（Ｓ３）と、
前記オーディオ入力チャネル群の入力チャネルエネルギを推定するステップ（Ｓ４）と、
前記オーディオ入力チャネル群の推定入力チャネルエネルギに基づいて、前記オーディオ入力チャネル群の少なくとも１つのエネルギ表現を生成するステップ（Ｓ５）と、
前記少なくとも１つのエネルギ表現を符号化するステップ（Ｓ６）と、
少なくとも前記第２の符号化処理を含む前記複数の符号化処理の少なくとも１つから残差誤差信号を生成するステップ（Ｓ７）と、
第３の符号化処理において前記残差誤差信号の残差符号化を行うステップ（Ｓ８）と、
を有し、
前記少なくとも１つのエネルギ表現を生成するステップ（Ｓ５）は、復号化側の出力チャネルのエネルギと前記推定入力チャネルエネルギとの整合が可能となるように、前記少なくとも１つのエネルギ表現を生成し、
前記第１の符号化処理は、ダウンミックス符号化処理であり、
前記第２の符号化処理は、少なくとも１つの予測チャネルを生成するチャネル予測に基づくものであり、
前記残差誤差信号を生成するステップ（Ｓ７）は、残差予測誤差信号を生成するステップを含み、
前記少なくとも１つのエネルギ表現を生成するステップ（Ｓ５）は、
チャネルエネルギレベル差を決定するステップと、
チャネルエネルギレベル和を決定するステップと、
前記第１の符号化処理に関連して前記チャネルエネルギレベル和と前記局所合成からの前記局所復号化ダウンミックス信号のエネルギとに基づきデルタエネルギ測度を決定するステップと、
を含み、
前記少なくとも１つのエネルギ表現を符号化するステップ（Ｓ６）は、
前記チャネルエネルギレベル差を量子化するステップと、
前記デルタエネルギ測度を量子化するステップと、
を含むことを特徴とするオーディオ符号化方法。
【請求項２】
前記少なくとも１つのエネルギ表現を生成するステップ（Ｓ５）は、エネルギ及び品質の双方の点で、出力チャネルと入力チャネルとの整合が可能となるように、前記少なくとも１つのエネルギ表現を生成することを特徴とする請求項１に記載のオーディオ符号化方法。
【請求項３】
前記少なくとも１つのエネルギ表現を生成するステップ（Ｓ５）及び前記少なくとも１つのエネルギ表現を符号化するステップ（Ｓ６）は、前記第２の符号化処理において実行されることを特徴とする請求項１に記載のオーディオ符号化方法。
【請求項４】
前記少なくとも１つのエネルギ表現を生成するステップ（Ｓ５）及び前記少なくとも１つのエネルギ表現を符号化するステップ（Ｓ６）は、少なくとも１つの周波数帯域における複数フレームの各々に対して実行されることを特徴とする請求項３に記載のオーディオ符号化方法。
【請求項５】
前記推定入力チャネルエネルギ及び前記チャネル予測の予測パラメータは、前記第２の符号化処理において、一緒に表現され符号化されることを特徴とする請求項１に記載のオーディオ符号化方法。
【請求項６】
前記チャネル予測は、非量子化チャネル予測パラメータに基づくものであることを特徴とする請求項１に記載のオーディオ符号化方法。
【請求項７】
少なくとも２つのチャネルを有するマルチチャネルオーディオ信号のオーディオ入力チャネル群の信号表現に作用する符号化手順全体に基づくオーディオ符号化方法であって、
前記オーディオ入力チャネル群のダウンミックス信号を含む第１の信号表現を符号化するための第１の符号化処理を行うステップ（Ｓ１）と、
前記第１の符号化処理に関連して局所合成が行われ、前記第１の符号化処理の符号化誤差の表現を含む局所復号化ダウンミックス信号を生成するステップ（Ｓ２）と、
少なくとも前記局所復号化ダウンミックス信号を入力として使用し、前記オーディオ入力チャネル群の第２の表現を符号化するための第２の符号化処理を行うステップ（Ｓ３）と、
前記オーディオ入力チャネル群の入力チャネルエネルギを推定するステップ（Ｓ４）と、
前記オーディオ入力チャネル群の推定入力チャネルエネルギに基づいて、前記オーディオ入力チャネル群の少なくとも１つのエネルギ表現を生成するステップ（Ｓ５）と、
前記少なくとも１つのエネルギ表現を符号化するステップ（Ｓ６）と、
少なくとも前記第２の符号化処理を含む前記複数の符号化処理の少なくとも１つから残差誤差信号を生成するステップ（Ｓ７）と、
第３の符号化処理において前記残差誤差信号の残差符号化を行うステップ（Ｓ８）と、
を有し、
前記少なくとも１つのエネルギ表現を生成するステップ（Ｓ５）は、復号化側の出力チャネルのエネルギと前記推定入力チャネルエネルギとの整合が可能となるように、前記少なくとも１つのエネルギ表現を生成し、
前記第１の符号化処理は、ダウンミックス符号化処理であり、
前記第２の符号化処理は、少なくとも１つの予測チャネルを生成するチャネル予測に基づくものであり、
前記残差誤差信号を生成するステップ（Ｓ７）は、残差予測誤差信号を生成するステップを含み、
前記少なくとも１つのエネルギ表現を生成するステップ（Ｓ５）は、
チャネルエネルギレベル差を決定するステップと、
チャネルエネルギレベル和を決定するステップと、
前記第１の符号化処理に関連して前記チャネルエネルギレベル和と前記局所合成からの前記局所復号化ダウンミックス信号のエネルギとに基づきデルタエネルギ測度を決定するステップと、
前記デルタエネルギ測度と前記局所復号化ダウンミックス信号のエネルギにより正規化された前記予測チャネルのエネルギとに基づき正規化エネルギ補償パラメータを決定するステップと、
を含み、
前記少なくとも１つのエネルギ表現を符号化するステップ（Ｓ６）は、
前記チャネルエネルギレベル差を量子化するステップと、
前記正規化エネルギ補償パラメータを量子化するステップと、
を含むことを特徴とするオーディオ符号化方法。
【請求項８】
前記チャネル予測は、量子化チャネルエネルギレベル差から導出された量子化チャネル予測パラメータに基づくものであることを特徴とする請求項７に記載のオーディオ符号化方法。
【請求項９】
少なくとも２つのチャネルを有するマルチチャネルオーディオ信号のオーディオ入力チャネル群の信号表現に作用するオーディオ符号化装置（１００）であって、
第１の符号化処理において前記オーディオ入力チャネル群のダウンミックス信号を含む第１の表現を符号化する第１のエンコーダ（１３０）と、
前記第１の符号化処理に関連して局所合成を行い、前記第１の符号化処理の符号化誤差の表現を含む局所復号化ダウンミックス信号を生成する局所合成器（１３２）と、
少なくとも前記局所復号化ダウンミックス信号を入力として使用し、第２の符号化処理において前記オーディオ入力チャネル群の第２の表現を符号化する第２のエンコーダ（１４０）と、
前記オーディオ入力チャネル群の入力チャネルエネルギを推定するエネルギ推定器（１４２）と、
前記オーディオ入力チャネル群の推定入力チャネルエネルギに基づいて、前記オーディオ入力チャネル群の少なくとも１つのエネルギ表現を生成するエネルギ表現生成器（１４４）と、
前記少なくとも１つのエネルギ表現を符号化するエネルギ表現エンコーダ（１４６）と、
少なくとも前記第２の符号化処理を含む前記複数の符号化処理の少なくとも１つから残差誤差信号を生成する残差生成器（１５５）と、
第３の符号化処理において前記残差誤差信号の残差符号化を行う残差エンコーダ（１６０）と、
を有し、
前記エネルギ表現生成器（１４４）は、復号化側の出力チャネルのエネルギと推定入力チャネルエネルギとの整合が可能となるように、少なくとも１つのエネルギ表現を生成し、
前記第１のエンコーダ（１３０）は、ダウンミックスエンコーダであり、
前記第２のエンコーダ（１４０）は、少なくとも１つの予測チャネルを生成するチャネル予測に基づいて動作するパラメトリックエンコーダであり、
前記残差生成器（１５５）は、残差予測誤差信号を生成するように構成され、
前記エネルギ表現生成器（１４４）は、
チャネルエネルギレベル差を決定する決定器と、
チャネルエネルギレベル和を決定する決定器と、
前記第１の符号化処理に関連して前記チャネルエネルギレベル和と前記局所合成からの前記局所復号化ダウンミックス信号のエネルギとに基づきデルタエネルギ測度を決定する決定器と、
を含み、
前記エネルギ表現エンコーダ（１４６）は、
前記チャネルエネルギレベル差を量子化する量子化器と、
前記デルタエネルギ測度を量子化する量子化器と、
を含むことを特徴とするオーディオ符号化装置。
【請求項１０】
前記エネルギ表現生成器（１４４）は、エネルギ及び品質の双方の点で、出力チャネルと入力チャネルとの整合が可能となるように、少なくとも１つのエネルギ表現を生成することを特徴とする請求項９に記載のオーディオ符号化装置。
【請求項１１】
前記エネルギ表現生成器（１４４）及び前記エネルギ表現エンコーダ（１４６）は、前記第２のエンコーダ（１４０）において実現されることを特徴とする請求項９に記載のオーディオ符号化装置。
【請求項１２】
前記エネルギ表現生成器（１４４）及び前記エネルギ表現エンコーダ（１４６）は、少なくとも１つの周波数帯域における複数フレームの各々に対して、前記少なくとも１つのエネルギ表現を生成して符号化することを特徴とする請求項１１に記載のオーディオ符号化装置。
【請求項１３】
前記第２のエンコーダ（１４０）は、前記推定入力チャネルエネルギと前記チャネル予測の予測パラメータとを一緒に表現して符号化することを特徴とする請求項９に記載のオーディオ符号化装置。
【請求項１４】
前記第２のエンコーダ（１４０）は、非量子化チャネル予測パラメータに基づくチャネル予測を行うことを特徴とする請求項９に記載のオーディオ符号化装置。
【請求項１５】
少なくとも２つのチャネルを有するマルチチャネルオーディオ信号のオーディオ入力チャネル群の信号表現に作用するオーディオ符号化装置（１００）であって、
第１の符号化処理において前記オーディオ入力チャネル群のダウンミックス信号を含む第１の表現を符号化する第１のエンコーダ（１３０）と、
前記第１の符号化処理に関連して局所合成を行い、前記第１の符号化処理の符号化誤差の表現を含む局所復号化ダウンミックス信号を生成する局所合成器（１３２）と、
少なくとも前記局所復号化ダウンミックス信号を入力として使用し、第２の符号化処理において前記オーディオ入力チャネル群の第２の表現を符号化する第２のエンコーダ（１４０）と、
前記オーディオ入力チャネル群の入力チャネルエネルギを推定するエネルギ推定器（１４２）と、
前記オーディオ入力チャネル群の推定入力チャネルエネルギに基づいて、前記オーディオ入力チャネル群の少なくとも１つのエネルギ表現を生成するエネルギ表現生成器（１４４）と、
前記少なくとも１つのエネルギ表現を符号化するエネルギ表現エンコーダ（１４６）と、
少なくとも前記第２の符号化処理を含む前記複数の符号化処理の少なくとも１つから残差誤差信号を生成する残差生成器（１５５）と、
第３の符号化処理において前記残差誤差信号の残差符号化を行う残差エンコーダ（１６０）と、
を有し、
前記エネルギ表現生成器（１４４）は、復号化側の出力チャネルのエネルギと推定入力チャネルエネルギとの整合が可能となるように、少なくとも１つのエネルギ表現を生成し、
前記第１のエンコーダ（１３０）は、ダウンミックスエンコーダであり、
前記第２のエンコーダ（１４０）は、少なくとも１つの予測チャネルを生成するチャネル予測に基づいて動作するパラメトリックエンコーダであり、
前記残差生成器（１５５）は、残差予測誤差信号を生成するように構成され、
前記エネルギ表現生成器（１４４）は、
チャネルエネルギレベル差を決定する決定器と、
チャネルエネルギレベル和を決定する決定器と、
前記第１の符号化処理に関連して前記チャネルエネルギレベル和と前記局所合成からの前記局所復号化ダウンミックス信号のエネルギとに基づきデルタエネルギ測度を決定する決定器と、
前記デルタエネルギ測度と前記局所復号化ダウンミックス信号のエネルギにより正規化された前記予測チャネルのエネルギとに基づき正規化エネルギ補償パラメータを決定する決定器と、
を含み、
前記エネルギ表現エンコーダ（１４６）は、
前記チャネルエネルギレベル差を量子化する量子化器と、
前記正規化エネルギ補償パラメータを量子化する量子化器と、
を含むことを特徴とするオーディオ符号化装置。
【請求項１６】
前記第２のエンコーダ（１４０）は、量子化チャネルエネルギレベル差から導出された量子化チャネル予測パラメータに基づくチャネル予測を行うことを特徴とする請求項１５に記載のオーディオ符号化装置。
【請求項１７】
少なくとも２つのチャネルを有するマルチチャネルオーディオ信号を再構成する受信ビットストリームに作用する復号化手順全体に基づくオーディオ復号化方法であって、
前記受信ビットストリームの第１の部分に基づき復号化ダウンミックス信号を含む少なくとも１つの第１の復号化チャネル表現を生成する第１の復号化処理を行うステップ（Ｓ１１）と、
前記復号化ダウンミックス信号の推定エネルギとオーディオ入力チャネルの少なくとも１つのエネルギ表現を代表する前記受信ビットストリームの第２の部分とに基づき少なくとも１つの第２の復号化チャネル表現を生成する第２の復号化処理を行うステップ（Ｓ１２）と、
前記復号化ダウンミックス信号の推定エネルギとオーディオ入力チャネルの少なくとも１つのエネルギ表現を代表する前記受信ビットストリームの前記第２の部分とに基づきオーディオ入力チャネルの入力チャネルエネルギを推定するステップ（Ｓ１３）と、
残差誤差信号情報を代表する前記受信ビットストリームの第３の部分に基づき第３の復号化処理で残差復号化を行い、残差誤差信号を生成するステップ（Ｓ１４）と、
前記残差誤差信号と少なくとも前記第２の復号化処理を含む前記第１の復号化処理及び前記第２の復号化処理の少なくとも１つからの復号化チャネル表現とを結合し、前記マルチチャネルオーディオ信号を生成するための推定入力チャネルエネルギに少なくとも部分的に基づきチャネルエネルギ補償を行うステップ（Ｓ１５）と、
を有し、
前記チャネルエネルギ補償は、前記マルチチャネルオーディオ信号の出力チャネルのエネルギと前記推定入力チャネルエネルギとが整合するように行われ、
前記少なくとも１つの第２の復号化チャネル表現を生成する第２の復号化処理を行うステップ（Ｓ１２）は、
前記オーディオ入力チャネルの少なくとも１つのエネルギ表現を前記受信ビットストリームの前記第２の部分から導出するステップと、
前記少なくとも１つのエネルギ表現に少なくとも部分的に基づきチャネル予測パラメータを推定するステップと、
復号化ダウンミックス信号と推定チャネル予測パラメータとに基づき予測チャネルを合成するステップと、
を含み、
前記残差復号化を行うステップ（Ｓ１４）は、残差予測誤差信号を生成するステップを含み、
前記少なくとも１つのエネルギ表現を導出するステップは、チャネルエネルギレベル差とデルタエネルギ測度とを前記受信ビットストリームの前記第２の部分から導出するステップを含み、
前記入力チャネルエネルギを推定するステップは、前記復号化ダウンミックス信号の推定エネルギと前記チャネルエネルギレベル差とデルタエネルギ測度とに基づいて行われ、
前記チャネル予測パラメータを推定するステップは、前記推定入力チャネルエネルギと前記復号化ダウンミックス信号の推定エネルギと前記残差誤差信号の推定エネルギとに基づき行われる
ことを特徴とするオーディオ復号化方法。
【請求項１８】
エネルギ及び品質の双方の点で、前記マルチチャネルオーディオ信号の出力チャネルと符号化側の対応する入力チャネルとが整合し、これにより、低品質な信号よりも高品質な信号が高い割合で表現され出力チャネルの品質全体が向上することを特徴とする請求項１７に記載のオーディオ復号化方法。
【請求項１９】
少なくとも１つの第２の復号化チャネル表現を生成する場合に、前記チャネルエネルギ補償は、前記第２の復号化処理に統合されることを特徴とする請求項１７に記載のオーディオ復号化方法。
【請求項２０】
前記復号化ダウンミックス信号のエネルギと前記残差誤差信号のエネルギとが推定され、前記第２の復号化処理は、当該復号化ダウンミックス信号のエネルギと当該残差誤差信号のエネルギとに基づくものであることを特徴とする請求項１９に記載のオーディオ復号化方法。
【請求項２１】
前記チャネルエネルギ補償は、前記残差誤差信号と前記復号化チャネル表現とを結合した後に実行されることを特徴とする請求項１７に記載のオーディオ復号化方法。
【請求項２２】
前記残差誤差信号と前記第１の復号化処理及び前記第２の復号化処理の少なくとも１つからの復号化チャネル表現とが結合されてマルチチャネル合成になり、該マルチチャネル合成のエネルギが推定され、前記チャネルエネルギ補償は、該マルチチャネル合成の推定エネルギと推定入力チャネルエネルギとに基づいて実行されることを特徴とする請求項２１に記載のオーディオ復号化方法。
【請求項２３】
少なくとも２つのチャネルを有するマルチチャネルオーディオ信号を再構成するための受信ビットストリームに作用するオーディオ復号化装置（２００）であって、
前記受信ビットストリームの第１部分に基づき復号化ダウンミックス信号を含む少なくとも１つの第１の復号化チャネル表現を生成する第１のデコーダ（２３０）と、
前記復号化ダウンミックス信号の推定エネルギとオーディオ入力チャネルの少なくとも１つのエネルギ表現を代表する前記受信ビットストリームの第２の部分とに基づき少なくとも１つの第２の復号化チャネル表現を生成する第２のデコーダ（２４０）と、
前記復号化ダウンミックス信号の推定エネルギとオーディオ入力チャネルの少なくとも１つのエネルギ表現を代表する前記受信ビットストリームの前記第２の部分とに基づきオーディオ入力チャネルの入力チャネルエネルギを推定する推定器（２４２）と、
残差誤差信号情報を代表する前記受信ビットストリームの第３の部分に基づき第３の復号化処理で残差復号化を行い、残差誤差信号を生成する残差デコーダ（２６０）と、
前記残差誤差信号と少なくとも前記第２の復号化チャネル表現を含む前記第１のデコーダ及び前記第２のデコーダの少なくとも１つからの復号化チャネル表現とを結合し、前記マルチチャネルオーディオ信号を生成するために推定入力チャネルエネルギに少なくとも部分的に基づきチャネルエネルギ補償を行う手段（２７０）と、
を有し、
前記結合及びチャネルエネルギ補償を行う手段（２７０）は、前記マルチチャネルオーディオ信号の出力チャネルのエネルギと前記推定入力チャネルエネルギとを整合させ、
前記第１のデコーダ（２３０）は、ダウンミックスデコーダであり、
前記第２のデコーダ（２４０）は、予測チャネルを合成するパラメトリックデコーダであり、
前記残差デコーダ（２６０）は、残差予測誤差信号を生成し、
前記第２のデコーダ（２４０）は、
前記オーディオ入力チャネルの前記少なくとも１つのエネルギ表現を前記受信ビットストリームの前記第２の部分から導出する導出器（２４１）と、
前記少なくとも１つのエネルギ表現に少なくとも部分的に基づきチャネル予測パラメータを推定する推定器と、
復号化ダウンミックス信号と推定チャネル予測パラメータとに基づき予測チャネルを合成する合成器と
を含み、
前記導出器は、チャネルエネルギレベル差とデルタエネルギ測度とを、前記受信ビットストリームの前記第２の部分から導出し、
前記入力チャネルエネルギを推定する前記推定器（２４２）は、前記復号化ダウンミックス信号の推定エネルギと前記チャネルエネルギレベル差とデルタエネルギ測度とに基づき入力チャネルエネルギを推定し、
前記チャネル予測パラメータを推定する前記推定器は、推定入力チャネルエネルギと前記復号化ダウンミックス信号の推定エネルギと前記残差誤差信号の推定エネルギとに基づきチャネル予測パラメータを推定する
ことを特徴とするオーディオ復号化装置。
【請求項２４】
前記結合及びチャネルエネルギ補償を行う手段（２７０）は、エネルギ及び品質の双方の点で、前記マルチチャネルオーディオ信号の出力チャネルと符号化側の対応する入力チャネルとを整合させ、これにより前記結合及びチャネルエネルギ補償を行う手段（２７０）は、低品質な信号よりも高い割合で高品質な信号が表現され、出力チャネルの品質全体を向上させることを特徴とする請求項２３に記載のオーディオ復号化装置。
【請求項２５】
前記チャネルエネルギ補償は、前記第２のデコーダ（２４０）に統合されることを特徴とする請求項２３に記載のオーディオ復号化装置。
【請求項２６】
前記オーディオ復号化装置（２００）は、前記復号化ダウンミックス信号のエネルギと前記残差誤差信号のエネルギとを推定する手段を含み、
前記第２のデコーダ（２４０）は、前記復号化ダウンミックス信号のエネルギと前記残差誤差信号のエネルギとに基づいて動作する
ことを特徴とする請求項２５に記載のオーディオ復号化装置。
【請求項２７】
前記結合及びチャネルエネルギ補償を行う手段（２７０）は、前記残差誤差信号と復号化チャネル表現とを結合して結合マルチチャネル合成にする結合器と、前記チャネルエネルギ補償を前記結合マルチチャネル合成に適用して前記マルチチャネルオーディオ信号を生成するチャネルエネルギ補償器とを含むことを特徴とする請求項２３に記載のオーディオ復号化装置。
【請求項２８】
前記オーディオ復号化装置（２００）は、結合マルチチャネル合成のエネルギを推定する推定器を含み、
前記チャネルエネルギ補償器は、結合マルチチャネル合成の推定エネルギと推定入力チャネルエネルギとに基づき前記チャネルエネルギ補償を適用する
ことを特徴とする請求項２７に記載のオーディオ復号化装置。
【発明の詳細な説明】
【技術分野】
【０００１】
本発明は、オーディオ符号化方法及び対応するオーディオ復号化方法、並びに、オーディオエンコーダ及び対応するオーディオデコーダに関する。
【背景技術】
【０００２】
パケット交換網を介して電気通信サービスを提供する必要性が急激に増加しており、今日ではかつてないほど高まっている。それと同時に、異なる帯域幅やモノラル音声及びステレオ音声、音声信号及び音楽信号を含む送信されるメディアコンテンツの多様性も増大している。ユーザへの混合コンンテンツの配信に対して柔軟で効率的なソリューションを定義するために種々の標準化団体において多大な努力がなされている。注目すべきは、２つの大きな課題が未だ解決されていないことである。第一に、導入されたネットワーク化技術及びユーザデバイスの多様性によって、異なるユーザに提供されるサービスが同一であっても、転送ネットワークの特性が異なるために、ユーザに知覚される品質が異なる可能性がある、ということである。このため、サービスを実際の転送特性に適応するために品質メカニズムの改善が必要となる。第二に、通信サービスは広範なメディアコンテンツを含まなければならない。現在、音声及び音楽の送信は未だに異なるパラダイムに属しており、あらゆる種類のオーディオ信号に高い品質を提供できるサービスを提供する段階には至っていない。
【０００３】
今日、スケーラブル・オーディオビジュアル・コーデックと一般にメディアコンテンツ・コーデックとが利用可能であり、実際、ＭＰＥＧの初期の設計ガイドラインの１つには当初からスケーラビリティがあった。しかし、これらのコーデックはその機能性ゆえに魅力的であるものの、低ビットレートで動作させるには効率が悪いため、現在市場に大量に出回っている無線デバイスに対応していないのが実情である。無線通信が広く浸透するのに伴い、より高機能なスケーラブルコーデックが必要とされている。このことは既に認識されており、新しいコーデックが近い将来出現することが期待されている。
【０００４】
適応サービスやスケーラブルコーデックに多大な努力がなされているが、転送の問題により多くの配慮が払われない限り、スケーラブルサービスが発生することはないだろう。そのため、効率的なコーデックだけでなく、適切なネットワークアーキテクチャや転送フレームワークが、サービス配信においてスケーラビリティをフルに利用することが可能な技術であるとみなされなければならない。基本的に３つの例が考えられる。
【０００５】
・エンドポイントでの適応。すなわち、より低い伝送速度を選択しなければならない場合、送信側に通知されてスケーリングを行うか又はコーデックを変更する。
【０００６】
・中間ゲートウェイでの適応。ネットワークの一部が輻輳していたり、異なるサービス能力を有する場合、図１に例示するような専用ネットワークエンティティがサービスのトランスコーディングを行う。スケーラブルコーデックを使用すれば、これはメディアフレームを削減するか又は切り捨てるだけの単純なものになる。
【０００７】
・ネットワーク内での適応。ルータや無線インタフェースが輻輳すると、パケットを削減するか又は切り捨てることにより正確に問題箇所で適応が行われる。これは、サービストラフィックのバーストの取り扱いや無線リンクのチャネル品質の変動等の過渡的な問題に対する解決策としては望ましい。
【０００８】
以下に、従来技術による音声及びオーディオのスケーラブルコーデックの概要を示す。ステレオ符号化の概念に関する一般的な背景も示す。
【０００９】
スケーラブルオーディオ符号化
（非会話型ストリーミング／ダウンロード）
一般に、現在のオーディオ研究の傾向は低ビットレートでの圧縮効率を向上することである（３２ｋｂｐｓ未満のビットレートで十分に高いステレオ品質を提供することである）。最近の低ビットレートオーディオの改良点は、ＭＰＥＧにおけるパラメトリックステレオ（ＰＳ）ツール開発の完成と、３ＧＰＰにおけるMixed CELP及び変換コーデックExtended AMR-WB（別名AMR-WB+）の標準化である。Spatial Audio Coding（サラウンド／５．１コンテンツ）の周辺でも進行中のＭＰＥＧ標準化活動があり、第一の参照モデル（ＲＭ０）が選択されている（非特許文献４）。
【００１０】
スケーラブルオーディオ符号化に対し、ＭＰＥＧにおける最近の標準化活動の結果、スケーラブルロスレス拡張ツールＭＰＥＧ４−ＳＬＳが得られた。ＭＰＥＧ４−ＳＬＳは、０．４ｋｂｐｓに低下した粒度ステップ (granularity step) で可逆になるまでコアＡＡＣ／ＢＳＡＣへの進歩的な拡張性を提供する。ＳＬＳのオーディオオブジェクトタイプ（ＡＯＴ）はまだ定義されていない。更にＭＰＥＧ内では、コールフォーインフォメーション（ＣｆＩ）がスケーラブル音声及びオーディオ符号化の分野を対象にして２００５年１月に発行された（非特許文献１）。ＣｆＩで取り扱った主要問題は、スケーラビリティ、複数のコンテンツ種類（例えば、音声及び音楽）を通じて一貫した性能及び低ビットレート（＜２４ｋｂｐｓ）での符号化品質である。その後、スケーラブルな部分は切り捨てられ、現在はエンベデッド・スケーラビリティ無しで種々のビットレートで動作するコーデックを対象に研究が行われている。
【００１１】
＜音声符号化（会話型モノラル）＞
（概要）
一般の音声圧縮における最新の標準化活動は、８．５５ｋｂｐｓの最大レートでの動作もサポートするような３ＧＰＰ２／ＶＭＲ−ＷＢコーデックの拡張である。ＩＴＵ−ＴではマルチレートＧ．７２２．１オーディオ／ビデオ会議コーデックが、２４、３２、４８ｋｂｐｓで動作する超広帯域（１４ｋＨｚオーディオ帯域幅、３２ｋＨｚサンプリング）での能力を提供する２つの新しいモードで以前、更新されている。更なる標準化活動は、帯域幅を４８ｋＨｚのフルバンド符号化に拡張する付加モードを追加することを目的としていた。最終結果は新しいスタンドアロン・コーデックＧ．７１９であり、これは１６ｋｂｐｓのステップで３２〜１２８ｋｂｐｓの低演算量のフルバンド符号化を提供する。
【００１２】
スケーラブル会話型音声符号化に対してＩＴＵ−Ｔでは主要な標準化活動が行われている（作業部会３、研究委員会１６）。ここで、Ｇ．７２９のスケーラブル拡張は２００６年５月に標準化され、Ｇ．７２９．１と呼ばれている。この拡張は、１２ｋｂｐｓから２ｋｂｐｓの粒度ステップで８〜３２ｋｂｐｓまでスケーラブルである。Ｇ．７２９．１の主な対象適用は共有／帯域幅制限ｘＤＳＬリンクに対する会話型音声であり、すなわちスケーリングはＶｏＩＰパケットを特定の制御音声チャネル（Ｖｃ）を介して通過するデジタル住居用ゲートウェイで行われる可能性がある。また、ＩＴＵ−Ｔは全く新しいスケーラブル会話型コーデックＧ．７１８の勧告を最近（２００８年９月）承認した。このコーデックは、１２．０、１６．０及び２４．０ｋｂｐｓのスケーリングステップで８．０ｋｂｐｓのコアレートと３２ｋｂｐｓの最大レートとを有する。Ｇ．７１８のコアはＶＭＲ−ＷＢから継承したＷＢ音声コーデックであるが、コアサンプルレートへのアップサンプリングによりＮＢ入力信号も取り扱う。更に、超広帯域とステレオ能力（３２ｋＨｚサンプリング／２チャネル）とをもたらすＧ．７１８とＧ．７２９．１との合同拡張はＩＴＵ−Ｔにおいて現在標準化中である（作業部会３、研究委員会１６、課題２３）。この認定期間は２００８年６月に終了した。
【００１３】
（ＳＮＲスケーラビリティ）
ＳＮＲスケーラビリティの原理は、ビットやレイヤの数が増すほどＳＮＲが向上するというものである。上述の２つの音声コーデックＧ．７２９．１及びＧ．７１８はこの特徴を有する。一般に、これは先行するレイヤからの符号化残差を段階的に再符号化することで達成される。上位階層を単に破棄するだけでより低いビットレートを復号化できるため、エンベデッド階層化構造は魅力的である。しかし、より高いビットレートを考えるとエンベデッド階層化は最適ではなく、ビットレートが同じであれば階層コーデックは通常、固定ビットレートコーデックより劣る。ここで言及可能な他のコーデックとしてはＳＮＲスケーラブルＭＰＥＧ４−ＣＥＬＰ及びＧ．７２７（エンベデッドＡＤＰＣＭ）がある。
【００１４】
（帯域幅スケーラビリティ）
Ｇ．７２２（サブバンドＡＤＰＣＭ）やＧ．７２９．１及びＧ．７１８等のビット量の増加に伴い帯域幅を増加できるコーデックもある。Ｇ．７２９．１は８及び１２ｋｐｂｓのビットレートでカスケード型ＣＥＬＰコーデックと共に動作するが、４ｋＨｚ〜７ｋＨｚの範囲をカバーするために帯域幅拡張を使用して１４ｋｂｐｓでＷＢ信号を提供する。帯域幅拡張では一般に、スペクトル折り返し又は他のマッピングでより低い帯域から励起信号を作成し、それは更にゲイン調整され、スペクトル包路で整形され、より高品質の周波数スペクトルをシミュレートする。このソリューションは良さそうに思われるが、拡張スペクトルはＭＳＥの意味では入力信号と通常一致しない。ＳＮＲスケーラブルなコーデックについては、より低いレートで使用された帯域幅拡張はより高いレイヤの符号化コンンテンツと通常置換される。これは、スペクトルがサブバンドベースで符号化コンンテンツと徐々に置換されるＧ．７２９．１の場合である。Ｇ．７１８は同じ特徴を示し、８、１２及び１６ｋｂｐｓのレートで６．４ｋＨｚ〜７．０ｋＨｚの帯域幅拡張を使用する。２４及び３２ｋｂｐｓのレートについては、帯域幅拡張は無効になり符号化スペクトルと置換される。ＳＮＲ−スケーラブルであることに加え、ＭＰＥＧ４−ＣＥＬＰは８及び１６ｋＨｚのサンプリング済み入力信号に対する帯域幅スケーラブル符号化システムを特定する。
【００１５】
（オーディオスケーラビリティ）
基本的にオーディオスケーラビリティは以下のように達成できる。
・信号の量子化の変更、すなわちＳＮＲライクなスケーラビリティ。
・信号の帯域幅の拡張又は縮小。
・オーディオチャネルの削減（例えば、１チャネルのモノラル、２チャネルのステレオ、５チャネルのサラウンド）−（空間スケーラビリティ）。
【００１６】
現在利用可能な細粒度スケーラブルオーディオコーデックはＡＡＣ−ＢＳＡＣ（アドバンストオーディオ符号化−ビットスライス算術符号化）である。これはオーディオ符号化及び音声符号化の双方に使用可能であり、インクリメントが小さい場合でもビットレートスケーラビリティを可能にする。
【００１７】
それはビットストリームを生成し、ストリームのある部分が失われても復号化できる。ストリームの復号化を可能にするのに利用可能なデータ量に関して最低限の要求がある。これは基本レイヤと呼ばれる。残りのビット組は品質拡張に対応するため、拡張レイヤと呼ばれる。ＡＡＣ−ＢＳＡＣは、オーディオ信号に対して１チャネル当たり約１kbit/s以下の拡張レイヤをサポートする。
【００１８】
「そのような細粒度のスケーラビリティを得るために、ビットスライス方式が量子化スペクトルデータに適用される。まず、量子化スペクトル値が周波数帯域にグループ化され、これらのグループの各々は２進表現の量子化スペクトル値を含む。その後、グループのビットは有意性及びスペクトルコンンテンツに応じてスライス状に処理される。これにより、グループ内の量子化値の最初の全ての最上位ビット（ＭＳＢ）が処理され、これらのビットはあるスライス内で低い周波数から高い周波数に向かって処理される。これらのビットスライスは２進演算符号化方式を使用して符号化され、最小冗長度でエントロピー符号化が得られる。」（非特許文献１）
【００１９】
「デコーダが利用する拡張レイヤ数の増加に伴いより多くの最下位ビット（ＬＳＢ）情報を提供することで量子化スペクトルデータを精緻化する。同時に、より高い周波数帯域のスペクトルデータのビットスライスを提供することでオーディオ帯域幅を拡張する。このようにして準連続スケーラビリティが達成できる。」（非特許文献１）
【００２０】
換言すれば、スケーラビリティは二次元空間で達成できる。ある信号帯域に対応する品質はより多くのＬＳＢを送信することで拡張でき、又は信号の帯域幅はより多くのビットスライスを受信器に提供することで拡張できる。更に、スケーラビリティの第３の次元は復号化に利用可能なチャネル数を適応することで利用可能になる。例えば、サラウンドオーディオ（５チャネル）はステレオ（２チャネル）に縮小でき、他方、例えば転送条件が必要とすればモノラル（１チャネル）に縮小できる。
【００２１】
ステレオ符号化又はマルチチャネル符号化
マルチチャネル（すなわち、少なくとも２つの入力チャネル）符号化及び復号化を使用するオーディオ送信システムの一般例を図２に概略的に示す。システム全体は送信側のマルチチャネルオーディオエンコーダ１００及び送信モジュール１０と、受信側の受信モジュール２０及びマルチチャネルオーディオデコーダ２００とを基本的に具備する。
【００２２】
オーディオ信号のステレオ又はマルチチャネル符号化の最も単純な方法は、図３に示すように異なるチャネルの信号を個別の独立した信号に別々に符号化することである。しかし、これは複数のチャネル間の冗長性が除去されず、ビットレート要求がチャネル数に比例することを意味する。
【００２３】
ステレオＦＭ無線伝送で使用され従来のモノラル無線受信機との互換性を保証する他の基本方法は、２つの関連チャネルの和信号（モノラル）と差信号（サイド）とを送信することである。
【００２４】
ＭＰＥＧ−１／２レイヤIIIやＭＰＥＧ−２／４ＡＡＣ等の最先端のオーディオコーデックは、いわゆるジョイントステレオ符号化を利用する。この技術によれば、異なるチャネルの信号が別々に処理されるのではなく、一緒に処理される。最も広く使用されているジョイントステレオ符号化技術は、「Ｍｉｄ／Ｓｉｄｅ」（Ｍ／Ｓ）ステレオ符号化、及び、インテンシティステレオ符号化として知られている２つの符号化であり、これらは通常、符号化されるステレオ信号又はマルチチャネル信号のサブバンドに適用される。
【００２５】
Ｍ／Ｓステレオ符号化は、チャネルのサブバンドの和と差の信号を符号化して送信し、それによりチャネルのサブバンド間の冗長性を利用する点において、前述のステレオＦＭラジオの手順と類似している。Ｍ／Ｓステレオ符号化に基づくコーダの構成と動作については、例えば特許文献１に記載されている。
【００２６】
他方、インテンシティステレオは、ステレオの無関係さを使用することができる。インテンシティステレオでは、（異なるサブバンドの）チャネルの連結強度(joint intensity)を、チャネル間に信号の強度がどのように分布しているかを示す位置情報と共に送信する。インテンシティステレオでは、チャネルのスペクトル振幅情報だけを出力し、位相情報は伝達しない。このため及び、チャネル間時間情報（より具体的にはチャネル間時間差）は特に低周波数においては心理音響関連性が大きいことから、インテンシティステレオは、例えば２ｋＨｚを超える高い周波数でのみの使用とすることができる。インテンシティステレオ符号化方法は、例えば特許文献２に記載されている。
【００２７】
バイノーラルキュー符号化（ＢＣＣ）と呼ばれる最近開発されたステレオ符号化方法が、Faller等による、「Binaural cue coding applied to stereo and multi-channel audio compression」（112th AES convention, 2002年5月, Munich, Germany）（非特許文献６）に記載されている。この方法はパラメトリック・マルチチャネル音声符号化方法である。そのようなパラメトリック技術の基本原理は、符号化側でＮ個のチャネルｃ１、ｃ２、．．．、ｃＮからの入力信号を結合して１つのモノラル信号ｍにすることである。モノラル信号は、何らかの従来のモノラルオーディオコーデックを使用してオーディオ符号化される。同時に、パラメータがマルチチャネル画像を記述するチャネル信号から導出される。パラメータは符号化され、オーディオビットストリームと共にデコーダに送信される。デコーダはまずモノラル信号ｍ’を復号化し、マルチチャネル画像のパラメトリック記述に基づきチャネル信号ｃ１’、ｃ２’、．．．、ｃＮ’を再生成する。
【００２８】
バイノーラルキュー符号化法（ＢＣＣ）（非特許文献２）の原理は、符号化モノラル信号及びいわゆるＢＣＣパラメータとを送信することである。ＢＣＣパラメータには、原マルチチャネル入力信号のサブバンドに関する符号化されたチャネル間レベル差及び符号化されたチャネル間時間差が含まれる。デコーダは、ＢＣＣパラメータに基づき、モノラル信号のサブバンドに関するレベルと位相調整とを適用することで異なるチャネル信号を再生する。例えばＭ／Ｓステレオやインテンシティステレオよりも有利な点は、チャネル間時間情報を含むステレオ情報がより低いビットレートで送信されることである。
【００２９】
特許文献３に記載される別の技術は、モノラル信号及びサイド情報を符号化する同じ原理を使用する。この場合、サイド情報は予測フィルタとオプションとして残差信号とからなる。モノラル信号への適用時にＬＭＳアルゴリズムで推定された予測フィルタによりマルチチャネルオーディオ信号の予測が可能になる。この技術によりマルチチャネル音源の非常に低いビットレートでの符号化を達成できるが、品質低下という犠牲を伴う。
【００３０】
パラメトリック・ステレオ符号化の基本原理を図４に示す。図４は、ダウンミキシングモジュール１２０、コア・モノラルコーデック１３０、２３０、ビットストリーム・マルチプレクサ／デマルチプレクサ１５０、２５０、パラメトリック・ステレオサイド情報エンコーダ／デコーダ１４０、２４０を備えるステレオコーデックの構成を示している。ダウンミキシングにより、マルチチャネル（この場合、ステレオ）信号がモノラル信号に変換される。パラメトリック・ステレオコーデックの目的は、再構成モノラル信号と追加ステレオパラメータとを与えられたデコーダでステレオ信号を再生することである。
【００３１】
特許文献４には、マルチチャネル符号化のための適応ビット割り当て技術が記載されている。ここでは少なくとも２つのエンコーダを使用し、第２のエンコーダはマルチステージエンコーダである。マルチチャネルオーディオ信号特性に基づいて、第２のマルチステージエンコーダの各ステージに符号化ビットが適応的に割り当てられる。
【００３２】
ＭＰＥＧパラメトリックステレオで採用されたダウンミキシング技術が非特許文献３で説明されている。ここでは、ダウンミキシング手順でのチャネルキャンセルによるポテンシャルエネルギ損失が、スケーリング係数で補償される。
【００３３】
ＭＰＥＧサラウンド（非特許文献４、５）では、オーディオ符号化が２つに分割される。すなわち、ドライ成分と呼ばれる予測／パラメトリック部と、ウェット成分と呼ばれる非予測／拡散部である。ドライ成分は別々に符号化及び復号化されたダウンミックス信号からのチャネル予測を使用して得られる。ウェット成分は以下の３つの内のいずれかである。すなわち、予測及び無相関フィルタから生成された合成拡散音声信号、予測部のゲイン調整バージョン又は単に符号化予測残差によるものである。
【先行技術文献】
【特許文献】
【００３４】
【特許文献１】米国特許第５２８５４９８号
【特許文献２】欧州特許第０４９７４１３号
【特許文献３】米国特許第５４３４９４８号
【特許文献４】国際公開第２００６／０９１１３９号
【非特許文献】
【００３５】
【非特許文献１】ISO/IEC JTC 1, SC 29, WG 11/M11657, "Performance and functionality of existing MPEG-4 technology in the context of CfI on Scalable Speech and Audio Coding", 2005年1月
【非特許文献２】C. Faller & F. Baumgarte, "Binaural cue coding - Part I:Psychoacoustic fundamentals and design principles", IEEE Trans. Speech Audio Processing, vol. 11, 509-519ページ、2003年11月
【非特許文献３】Samsudin他, "A stereo to mono downmixing scheme for MPEG-4 parametric stereo encoder", ICASSP Proceedings, vol. 5, V-Vページ、2006年5月
【非特許文献４】J. Herre他、「The Reference Model Architecture for MPEG Spatial Audio Coding」、AES第118回コンベンション、論文6447、2005年5月
【非特許文献５】ISO/IEC JTC 1, SC 29, WG 11/N7806, "MPEG audio technologies - Part 1:MPEG Surround", 113-114ページ、2007年2月
【非特許文献６】C. Faller et al., "Binaural cue coding applied to stereo and multi-channel audio compression", 112th AES convention, 2002年5月, Munich, Germany.
【発明の概要】
【発明が解決しようとする課題】
【００３６】
オーディオコーデックの分野では多数の進展が見られるが、オーディオコーデック技術の改良に対する一般的な需要が未だにある。
【００３７】
一般的な目的は、改良されたオーディオ符号化及び／又は復号化技術を提供することである。
【００３８】
特定の目的は、改良されたオーディオ符号化方法を提供することである。
【００３９】
また、特定の目的は、改良されたオーディオ復号化方法を提供することである。
【００４０】
他の特定の目的は、改良されたオーディオ符号化装置を提供することである。
【００４１】
更に他の特定の目的は、改良されたオーディオ復号化装置を提供することである。
【課題を解決するための手段】
【００４２】
上記目的及びその他の目的は、添付の請求の範囲で定義されるように本発明によって達成される。
【００４３】
第一の態様において、少なくとも２つのチャネルを有するマルチチャネルオーディオ信号のオーディオ入力チャネル群の信号表現に作用する符号化手順全体に基づくオーディオ符号化方法が提供される。本オーディオ符号化方法によれば、前記オーディオ入力チャネル群のダウンミックス信号を含む第１の信号表現を符号化するための第１の符号化処理が行われる。前記第１の符号化処理に関連して局所合成が行われ、第１の符号化処理の符号化誤差の表現を含む局所復号化ダウンミックス信号を生成する。少なくとも前記局所復号化ダウンミックス信号を入力として使用し、前記オーディオ入力チャネル群の第２の表現を符号化するための第２の符号化処理が行われる。前記オーディオ入力チャネル群の入力チャネルエネルギが推定され、前記オーディオ入力チャネル群の少なくとも１つのエネルギ表現が前記オーディオ入力チャネル群の推定入力チャネルエネルギに基づき生成される。その後、１つ又は複数のエネルギ表現が符号化される。少なくとも前記第２の符号化処理を含む前記複数の符号化処理の少なくとも１つから残差誤差信号が生成され、第３の符号化処理において前記残差誤差信号の残差符号化が行われる。
【００４４】
このように出力チャネルがエネルギ及び／又は品質の点で入力チャネルと整合可能になることに加え、オーディオ入力を全体に効果的に符号化可能とする。
【００４５】
また、少なくとも２つのチャネルを有するマルチチャネルオーディオ信号のオーディオ入力チャネル群の信号表現に作用する対応オーディオ符号化装置が提供される。基本的に本オーディオ符号化装置は、第１の符号化処理において前記オーディオ入力チャネル群のダウンミックス信号を含む第１の表現を符号化する第１のエンコーダと、前記第１の符号化処理に関連して局所合成を行い、前記第１の符号化処理の符号化誤差の表現を含む局所復号化ダウンミックス信号を生成する局所合成器と、少なくとも前記局所復号化ダウンミックス信号を入力として使用し、第２の符号化処理において前記オーディオ入力チャネル群の第２の表現を符号化する第２のエンコーダとを備える。更に本オーディオ符号化装置は、前記オーディオ入力チャネル群の入力チャネルエネルギを推定するエネルギ推定器と、前記オーディオ入力チャネル群の推定入力チャネルエネルギに基づき前記オーディオ入力チャネル群の少なくとも１つのエネルギ表現を生成するエネルギ表現生成器と、１つ又は複数のエネルギ表現を符号化するエネルギ表現エンコーダとを備える。また本オーディオ符号化装置は、少なくとも前記第２の符号化処理を含む前記複数の符号化処理の少なくとも１つから残差誤差信号を生成する残差生成器と、第３の符号化処理において前記残差誤差信号の残差符号化を行う残差エンコーダとを備える。
【００４６】
第二の態様において、少なくとも２つのチャネルを有するマルチチャネルオーディオ信号を再構成する受信ビットストリームに作用する復号化手順全体に基づくオーディオ復号化方法が提供される。本オーディオ復号化方法によると、前記受信ビットストリームの第１の部分に基づき復号化ダウンミックス信号を含む少なくとも１つの第１の復号化チャネル表現を生成する第１の復号化処理が行われる。前記復号化ダウンミックス信号の推定エネルギとオーディオ入力チャネルの少なくとも１つのエネルギ表現を代表する前記受信ビットストリームの第２の部分とに基づき少なくとも１つの第２の復号化チャネル表現を生成する第２の復号化処理が行われる。前記復号化ダウンミックス信号の推定エネルギとオーディオ入力チャネルの少なくとも１つのエネルギ表現を代表する前記受信ビットストリームの前記第２の部分とに基づきオーディオ入力チャネルの入力チャネルエネルギが推定される。残差誤差信号情報を代表する前記受信ビットストリームの第３の部分に基づき第３の復号化処理で残差復号化が行われ、残差誤差信号を生成する。前記残差誤差信号と少なくとも前記第２の復号化処理を含む前記第１の復号化処理及び前記第２の復号化処理の少なくとも１つからの復号化チャネル表現とが結合され、前記マルチチャネルオーディオ信号を生成するための推定入力チャネルエネルギに少なくとも部分的に基づきチャネルエネルギ補償が行われる。
【００４７】
このように出力チャネルがエネルギ及び／又は品質の点で入力チャネルに近づくようにマルチチャネルオーディオ信号を効果的に再構成できる。
【００４８】
また、少なくとも２つのチャネルを有するマルチチャネルオーディオ信号を再構成するための受信ビットストリームに作用するオーディオ復号化装置が提供される。基本的に本オーディオ復号化装置は、前記受信ビットストリームの第１部分に基づき復号化ダウンミックス信号を含む少なくとも１つの第１の復号化チャネル表現を生成する第１のデコーダと、前記復号化ダウンミックス信号の推定エネルギとオーディオ入力チャネルの少なくとも１つのエネルギ表現を代表する前記受信ビットストリームの第２の部分とに基づき少なくとも１つの第２の復号化チャネル表現を生成する第２のデコーダとを備える。更に本オーディオ復号化装置は、前記復号化ダウンミックス信号の推定エネルギとオーディオ入力チャネルの少なくとも１つのエネルギ表現を代表する前記受信ビットストリームの前記第２の部分とに基づきオーディオ入力チャネルの入力チャネルエネルギを推定する推定器を備える。また本オーディオ復号化装置は、残差誤差信号情報を代表する前記受信ビットストリームの第３の部分に基づき第３の復号化処理で残差復号化を行い、残差誤差信号を生成する残差デコーダを備える。また本オーディオ復号化装置は、前記残差誤差信号と少なくとも前記第２の復号化処理を含む前記第１の復号化処理及び前記第２の復号化処理の少なくとも１つからの復号化チャネル表現とを結合し、前記マルチチャネルオーディオ信号を生成するために推定入力チャネルエネルギに少なくとも部分的に基づきチャネルエネルギ補償を行う手段とを含む。
【００４９】
本発明が提供する他の利点は、本発明の実施形態の下記の説明を読むことにより理解されるであろう。
【図面の簡単な説明】
【００５０】
添付の図面を参照して、以下の本発明の例示的な実施形態の詳細な説明を読めば、本発明は、その更なる目的及び利点とともに、よく理解されるであろう。
【００５１】
【図１】メディア適応のための専用ネットワークエンティティの一例を示す図。
【図２】マルチチャネル符号化及び復号化を使用するオーディオ送信システムの一般例を示す概略ブロック図。
【図３】異なるチャネルの信号をどのように個別の独立した信号に別々に符号化するかを示す概略図。
【図４】パラメトリックステレオ符号化の基本原理を示す概略ブロック図。
【図５】パラメトリック予測及び予測／パラメトリック残差符号化方式を使用する一般的なステレオエンコーダを示す概略ブロック図。
【図６】チャネルレベル差（ＣＬＤ）とチャネルレベル和（ＣＬＳ）との間の依存性を示す散布図。
【図７】本発明のエンコーダ動作の一例を示すフローチャート。この概要は実施形態Ａ、Ｂ及びＣで有効である。
【図８】実施形態Ａのデコーダにおけるステレオ合成処理の一例を示すフローチャート。
【図９Ａ】実施形態Ａのエンコーダ及びデコーダの動作の一例を示す概略ブロック図。
【図９Ｂ】実施形態Ｂで有効なエンコーダ及びデコーダの動作の一例を示す概略ブロック図。
【図９Ｃ】実施形態Ｃで有効なエンコーダ及びデコーダの動作の一例を示す概略ブロック図。
【図１０】実施形態Ｂ及びＣで有効なデコーダステレオ合成処理の一例を示すフローチャート。
【図１１】正規化相互相関係数に対してどのようにチャネル予測係数（パニング係数）が変動するかを示すグラフ。
【図１２】本発明のＡＢテスト評価の結果を示す票決のヒストグラム。
【図１３】マルチチャネルエンコーダのエンコーダ動作全体の一例を示すフローチャート。
【図１４】マルチチャネル予測の前に受信信号のエネルギ測定を行うエンコーダ及びデコーダ処理の実現可能なマルチチャネル構成の例を示すブロック図。
【図１５】マルチチャネル予測の前に復号化信号成分のエネルギを推定する場合のデコーダ動作全体の一例を示すフローチャート。
【図１６】マルチチャネル予測の後に受信信号のエネルギ測定を行うエンコーダ及びデコーダ処理の実現可能なマルチチャネル構成の例を示すブロック図。
【図１７】マルチチャネル予測の後に復号化信号成分のエネルギを推定する場合のデコーダ動作全体の一例を示すフローチャート。
【図１８】オーディオ符号化方法の一例を示す概略フローチャート。
【図１９】オーディオ復号化方法の一例を示す概略フローチャート。
【図２０】オーディオ符号化装置の一例を示す概略ブロック図。
【図２１】オーディオ復号化装置の一例を示す概略ブロック図。
【発明を実施するための形態】
【００５２】
本発明は、一般にオーディオアプリケーションにおけるマルチチャネル（すなわち、少なくとも２つのチャネル）符号化／復号化技術に関し、特にオーディオ送信システム及び／又はオーディオ記憶のためのステレオ符号化／復号化に関する。実施可能なオーディオアプリケーション例としては、電話会議システム、移動体通信システムにおけるステレオオーディオ送信、オーディオサービスを供給する種々のシステム、及びマルチチャネルホームシネマシステムがある。
【００５３】
本発明は、例えばＧ．７２９．１及びＧ．７１８のＩＴＵ−Ｔ  ＷＰ３／ＳＧ１６／Ｑ２３  ＳＷＢ／ステレオ拡張等の将来の規格に特に適用可能であるが、これらの規格に限定されないのは言うまでもない。
【００５４】
マルチチャネル及びステレオコーデック技術のいくつかの概念の説明から始めるのが有益であろう。
【００５５】
例えばステレオコーデックにおいては、ステレオ符号化及び復号化は通常、マルチステージで行われる。この処理の概要を図５に示す。まず、左右チャネルＬ及びＲから、ダウンミックスのモノラル信号Ｍが形成される。モノラル信号はモノラルエンコーダに送られ、そこで局所合成^Ｍが抽出される。信号Ｍ、^Ｍ及び［Ｌ  Ｒ］Tを用いて、パラメトリックステレオエンコーダは、入力チャネルへの第１の近似［^Ｌ  ^Ｒ］Tを生成する。最終段では予測残差を算出して符号化し、更なる拡張を提供する。
【００５６】
チャネルダウンミックス
ダウンミキシングの標準的な方法は以下のように信号を単純に加算することである。
【００５７】
0005608660.tif 000002
【００５８】
この種のダウンミキシングはｎでインデクスされた時間領域信号に直接適用できる。一般にダウンミックスとは、入力チャネル数ｐをより少ないダウンミックスチャネル数ｑに低減する処理のことである。ダウンミックスは、時間領域又は周波数領域で行われる入力チャネルの線形又は非線形組み合わせとすることができる。ダウンミックスは信号特性に適応できる。
【００５９】
他の種類のダウンミキシングでは左右チャネルの任意の組み合わせを使用し、この組み合わせは周波数依存でもよい。
【００６０】
本発明の例示的な実施形態では、ステレオ符号化及び復号化は周波数帯域又は変換係数群で行われると仮定している。ここでは、チャネルの処理は周波数帯域で行われると仮定する。周波数依存係数の任意のダウンミックスは以下のように表現できる。
【００６１】
0005608660.tif 000003
ただし、インデクスｂは現在の帯域を表し、ｋはその帯域内のサンプルを表すインデクスである。本発明の主旨から逸脱せずに、適応的な時変重み係数αｂ及びβｂと共に更に詳細なダウンミックス方式を使用してもよい。
【００６２】
モノラルチャネルが生成されると、下層のモノラルコーデックに送られる。ステレオエンコーダは局所復号化モノラル信号を使用してステレオ信号を生成する。
【００６３】
チャネル予測
ステレオ信号の２つのチャネルは非常に似ていることが多く、ステレオ符号化で予測技術を適用することは有用である。復号化モノラルチャネル^Ｍはデコーダでも利用可能なため、予測の目的は送信された量子化ステレオパラメータ^Ψと共にこの信号から左右チャネル対を再構成することである。
【００６４】
0005608660.tif 000004
【００６５】
この予測をエンコーダの原入力信号から減算することにより誤差信号対が以下のように生成される。
【００６６】
0005608660.tif 000005
【００６７】
ＭＭＳＥの観点では、最適予測は誤差ベクトル［εL  εR］Tを最小にすることで得られる。これは時変ＦＩＲフィルタを使用して時間領域で以下のように解ける。
【００６８】
0005608660.tif 000006
【００６９】
周波数領域での同等の動作は以下のように表現できる。
【００７０】
0005608660.tif 000007
ただし、ＨL（ｂ，ｋ）及びＨR（ｂ，ｋ）は周波数帯域ｂの係数ｋに対するフィルタｈL及びｈRの周波数応答、^Ｌb（ｋ）、^Ｒb（ｋ）、^Ｍb（ｋ）は、時間信号^ｌ（ｎ）、^ｒ（ｎ）、^ｍ（ｎ）の変換対応部である。
【００７１】
周波数領域処理の利点として、ステレオ知覚（非特許文献２）に関連する位相に対して明示的な制御を与えることがある。より低い周波数領域では位相情報は高い関連があるが、高周波数では破棄できる。これは、知覚的に関連する周波数分解能を与えるサブバンド分割を含むこともできる。周波数領域処理の欠点は、複雑性及び時間／周波数変換に対する遅延要求があることである。これらのパラメータが致命的な場合、時間領域でのアプローチが望ましい。
【００７２】
本発明の例示的な実施形態による対象コーデックについて、コーデックの最上層はＭＤＣＴ領域のＳＮＲ拡張レイヤである。ＭＤＣＴに対する遅延要求は下層で既に説明されており、処理の一部が再利用できる。このため、ＭＤＣＴ領域はステレオ処理のために選択される。それは変換符号化に十分適合されているが、明示的な位相制御を与えないため、ステレオ信号処理ではいくつかの欠点がある。更に、隣接フレームは本質的に依存しているため、ＭＤＣＴの時間エイリアシング特性は予期せぬ結果をもたらすかもしれない。一方、それは周波数依存ビット割当てには高い柔軟性を与える。正確な位相表現のためにＭＤＣＴとＭＤＳＴとの組み合わせを使用できる。しかし、追加的なＭＤＳＴ信号表現は総コーデックビットレートと処理負荷とを増大させる。ＭＤＳＴは多重フレームからのＭＤＣＴスペクトルを使用してＭＤＣＴから近似できることもある。
【００７３】
ステレオ処理のために周波数スペクトルは処理帯域に分割するのが好ましい。ＡＡＣパラメトリックステレオでは、人間の聴覚の臨界帯域幅に一致するように処理帯域を選択する。利用可能なビットレートが低いので、選択された帯域はより少なく、より広くなるが、帯域幅は依然として臨界帯域に比例する。帯域をｂで表すと、予測は以下のように表現できる。
【００７４】
0005608660.tif 000008
ただし、ｋは帯域ｂのＭＤＣＴ係数のインデクス、ｍは時間領域フレームインデクスである。ここで、
0005608660.tif 000009
は非量子化パラメータｗb（ｍ）で得られる予測を表す。
【００７５】
平均二乗誤差の［Ｌb  Ｒb］Tに近いｗb（ｍ）の解は以下の通りである。
【００７６】
0005608660.tif 000010
ただし、Ｅ［．］は平均演算子であり、既定の時間周波数領域に対する平均としての任意の時間周波数変数に対する例として定義される。例えば、次式のように定義される。
【００７７】
0005608660.tif 000011
ただし、各周波数帯域ｂは大きさＢＷ（ｂ）を有する集合Ｂａｎｄ（ｂ）のＭＤＣＴビンで表される。なお、周波数帯域は重複してもよい。
【００７８】
予測パラメータの導出において符号化モノラル信号^Ｍを使用することは、この計算で符号化誤差を含む。ＭＭＳＥの観点から明らかであるが、これは知覚的に気になるステレオ画像の不安定性を引き起こす。このため、予測パラメータは未処理のモノラル信号に基づき、予測からモノラル誤差を排除する。
【００７９】
0005608660.tif 000012
【００８０】
ダウンミックス計算式Ｍ＝（Ｌ＋Ｒ）／２を使用することにより、ここでは左チャネルに対してこの表現を以下のように拡張できる。
【００８１】
0005608660.tif 000013
【００８２】
信号Ｌ、Ｒ、ＭはＭＤＣＴ領域にあるため実数値であり、複素共役（＊）を省略できる。
【００８３】
0005608660.tif 000014
【００８４】
同様に、右チャネル予測係数を以下のように表現できる。
【００８５】
0005608660.tif 000015
【００８６】
これらの表現Ｅ［Ｌb（ｍ）Ｌb（ｍ）］及びＥ［Ｒb（ｍ）Ｒb（ｍ）］はそれぞれ左右チャネルのエネルギに対応し、Ｅ［Ｌb（ｍ）Ｒb（ｍ）］は帯域ｂの相互相関を表す。更に、予測係数の合計は以下のように導出できる。
【００８７】
0005608660.tif 000016
【００８８】
チャネル予測係数の典型的な範囲は［０，２］であるが、強い負の相互相関に対してこれらの値はこれらの範囲を超えてもよい。式（１４）の関係式によると、ＭＭＳＥチャネル予測同士は関連があり、サブバンドコンテンツを左又は右チャネルにパンする単一のパラメータと見なせる。このため、チャネル予測はサブバンドパニングアルゴリズムと呼ぶこともできる。
【００８９】
ステレオ又はマルチチャネルオーディオ信号の空間オーディオ特性は時間と共に変化する可能性があるので、空間パラメータは可変ビットレート方式で符号化するのが好ましい。固定条件として、パラメータビットは最小値に低下し、保存ビットはＳＮＲ拡張等のコーデックの一部で使用できる。
【００９０】
残差符号化度合が変動する一方で合成チャネルエネルギを安定させ続けるようにチャネル予測係数及び入力チャネルエネルギを表現するのが望ましい。詳細は例示的な実施形態で更に説明する。
【００９１】
残差信号符号化
予測ステレオチャネルと入力チャネルとの間の差は、予測残差を形成する。
【００９２】
0005608660.tif 000017
【００９３】
残差信号は、モノラルダウンミックスチャネルと相関がなく予測によるモデル化ができない入力チャネルの部分を含む。更に、予測分解能が低いほど誤差が大きくなる可能性があるため、予測残差は予測関数の精度に依存する。最後に、予測は符号化モノラルダウンミックス信号に基づくため、モノラルエンコーダの不完全さもが残差誤差に加算される。残差誤差信号の成分は相関を示し、本願に組み込まれる国際特許出願第ＳＥ２００８／０００２７２号に記載されているように、誤差を符号化する際にこの相関を利用するのが有益である。
【００９４】
残差符号化の他の手段も適用できる。予測残差は、予測不能な拡散音場を表すことが多い。知覚の観点から、チャネル間相関（ＩＣＣ）（非特許文献２、非特許文献３、非特許文献４）が重要である。この特性は、無相関フィルタのシステムと共に復号化ダウンミックス信号又は予測／アップミックス信号を使用してシミュレートできる。本発明の原理は予測残差のいかなる表現にも適用可能である。
【００９５】
実施形態の問題解析及び非限定例
本発明はオーディオコーデックの最新技術を綿密に分析し、そのようなコーデックの機能と性能とに関していくつかの有益な洞察を得た。マルチチャネルマルチステージエンコーダにおいて、信号は符号化ステージに対応する異なる成分から通常構成される。制限されたビットレート、変化する空間特性、更に送信条件によって、復号化成分の品質は時間と共に変動する可能性がある。資源が不足して信号を表現できなくなると、エネルギ損失を観察することになり、ステレオ画像が時間と共に変動すると不安定になる。
【００９６】
例えばＭＰＥＧ  ＰＳ（非特許文献３）で使用されるダウンミックス手順は、チャネルキャンセルによるダウンミックスでのエネルギ損失を補償するが、合成チャネルエネルギや予測係数に対する明示的な制御を提供しない。
【００９７】
ＭＰＥＧサラウンド（非特許文献４、非特許文献５）の方法では、例えばパラメトリック部（ドライ成分）と組み合わせて予測残差（ウェット成分）の存在を取り扱う。ウェット成分は、１）ゲイン調整パラメトリック部、２）符号化予測残差、又は３）無相関フィルタを通過したパラメトリック部のいずれかでもよい。３）のソリューションは予測残差のパラメトリック表現とみなすことができる。しかし、このシステムでは変動比率でこれら３つが共存することはできず、従ってこの状況では合成チャネルエネルギの組込み制御を提供しない。
【００９８】
本発明を更に理解するために、図１８及び図１９の例示的なフローチャートを参照してオーディオ符号化／復号化技術の新しい分野の概念を導入するのは有益である。
【００９９】
図１８は、オーディオ符号化方法の一例を示す概略フローチャートである。例示的なオーディオ符号化方法は、少なくとも２つのチャネルを有するマルチチャネルオーディオ信号のオーディオ入力チャネル群の信号表現に作用する符号化手順全体に基づく。ステップＳ１において、前記オーディオ入力チャネル群のダウンミックス信号を含む第１の信号表現を符号化するために第１の符号化処理が行われる。ステップＳ２において、第１の符号化処理に関連して局所合成が行われ、第１の符号化処理の符号化誤差の表現を含む局所復号化ダウンミックス信号を生成する。ステップＳ３において、少なくとも局所復号化ダウンミックス信号を入力として使用し、前記オーディオ入力チャネル群の第２の信号表現を符号化するために第２の符号化処理が行われる。ステップＳ４において、オーディオ入力チャネルの入力チャネルエネルギが推定される。ステップＳ５において、オーディオ入力チャネルの少なくとも１つのエネルギ表現が、前記オーディオ入力チャネルの推定入力チャネルエネルギに基づき生成される。ステップＳ６において、生成された１つ又は複数のエネルギ表現が符号化される。ステップＳ７において、少なくとも第２の符号化処理を含む前記複数の符号化処理の少なくとも１つから残差誤差信号が生成される。ステップＳ８において、残差誤差信号の残差符号化が第３の符号化処理において行われる。
【０１００】
このようにしてオーディオ入力チャネルの効果的な符号化全体が得られる。オーディオ入力チャネルのエネルギ表現により、復号化側の出力チャネルのエネルギが推定入力チャネルエネルギと一致可能になる。出力チャネルはエネルギ及び品質の双方の点で入力チャネルと一致するのが好ましい。
【０１０１】
例示的な実施形態では、後からより詳細に例示するように、少なくとも１つのエネルギ表現を生成してエネルギ表現を符号化するステップは第２の符号化処理で行われる。
【０１０２】
通常、符号化手順全体は比較的多数のオーディオフレームの各々に対して実行される。しかし、オーディオ入力チャネルエネルギの推定及び（好ましいエネルギ表現を介した）符号化等の符号化手順全体の各部は、１つ以上の選択可能な周波数帯域においてフレームの選択可能な部分集合に対して行われてもよい。実際には、例えば少なくとも１つのエネルギ表現を生成してエネルギ表現を符号化するステップは少なくとも１つの周波数帯域の多数のフレームの各々に対して行われてもよいことを意味する。
【０１０３】
特定の例において第１の符号化処理はダウンミックス符号化処理であり、第２の符号化処理は１つ以上の予測チャネルを生成するチャネル予測に基づき、このため残差誤差信号は残差予測誤差信号を含む。この例示的な状況では、第２の予測ベースの符号化処理において推定入力チャネルエネルギとチャネル予測の予測パラメータとを一緒に表現して符号化することは特に有利であることが分かる。
【０１０４】
更に、予測ベースの符号化と残差符号化とに組み合わされたダウンミックス符号化の例示的な状況では、各々特別な利点を有するエネルギ表現及びエネルギ符号化に対する多数の異なる実現例がある。以下、３つの異なる例示的な実現例を下記の表に簡単にまとめ、より詳細に後述する。
【０１０５】
例Ａ
エネルギ表現：
・チャネルエネルギレベル差を決定し、
・チャネルエネルギレベル和を決定し、
・第１の符号化処理に関連してチャネルエネルギレベル和と局所合成からの局所復号化ダウンミックス信号のエネルギとに基づきデルタエネルギ測度を決定する。
エネルギ符号化：
・チャネルエネルギレベル差を量子化し、
・デルタエネルギ測度を量子化する。
チャネル予測：
・非量子化チャネル予測パラメータに基づく。
【０１０６】
例Ｂ
エネルギ表現：
・チャネルエネルギレベル差を決定し、
・チャネルエネルギレベル和を決定し、
・第１の符号化処理に関連してチャネルエネルギレベル和と局所合成からの局所復号化ダウンミックス信号のエネルギとに基づきデルタエネルギ測度を決定し、
・デルタエネルギ測度と局所復号化ダウンミックス信号のエネルギにより正規化された予測チャネルのエネルギとに基づき正規化エネルギ補償パラメータを決定する。
エネルギ符号化：
・チャネルエネルギレベル差を量子化し、
・正規化エネルギ補償パラメータを量子化する。
チャネル予測：
・量子化チャネルエネルギレベル差から導出された量子化チャネル予測パラメータに基づく。
【０１０７】
例Ｃ
エネルギ表現：
・チャネルエネルギレベル差を決定し、
・エネルギ正規化入力チャネル相互相関パラメータを決定する。
エネルギ符号化：
・チャネルエネルギレベル差を量子化し、
・エネルギ正規化入力チャネル相互相関パラメータを量子化する。
チャネル予測：
・量子化チャネルエネルギレベル差から導出された量子化チャネル予測パラメータと量子化エネルギ正規化入力チャネル相互相関パラメータとに基づく。
【０１０８】
図１９は、オーディオ復号化方法の一例を示す概略フローチャートである。例示的なオーディオ復号化方法は、少なくとも２つのチャネルを有するマルチチャネルオーディオ信号を再構成する受信ビットストリームに作用する復号化手順全体に基づく。ステップＳ１１において、第１の復号化処理が行われ、前記受信ビットストリームの第１の部分に基づき復号化ダウンミックス信号を含む少なくとも１つの第１の復号化チャネル表現を生成する。ステップＳ１２において、第２の復号化処理が行われ、復号化ダウンミックス信号の推定エネルギとオーディオ入力チャネルの少なくとも１つのエネルギ表現を代表する受信ビットストリームの第２の部分とに基づき少なくとも１つの第２の復号化チャネル表現を生成する。ステップＳ１３において、オーディオ入力チャネルの入力チャネルエネルギが、復号化ダウンミックス信号の推定エネルギとオーディオ入力チャネルの少なくとも１つのエネルギ表現を代表する受信ビットストリームの第２の部分とに基づき推定される。ステップＳ１４において、残差復号化が残差誤差信号情報を代表する受信ビットストリームの第３の部分に基づき第３の復号化処理で行われ、残差誤差信号を生成する。ステップＳ１５において、残差誤差信号と少なくとも第２の復号化処理を含む第１の復号化処理及び第２の復号化処理の少なくとも１つからの復号化チャネル表現とが結合され、マルチチャネルオーディオ信号を生成するための推定入力チャネルエネルギに少なくとも部分的に基づきチャネルエネルギ補償が行われる。
【０１０９】
これは、出力チャネルがエネルギ及び／又は品質の点で入力チャネルに近づくようにマルチチャネルオーディオ信号を効果的に再構成できることを意味する。特にチャネルエネルギ補償は、マルチチャネルオーディオ信号の出力チャネルのエネルギが推定入力チャネルエネルギと一致するように行われてもよい。しかし、マルチチャネルオーディオ信号の出力チャネルがエネルギ及び品質の双方の点で符号化側の対応する入力チャネルと一致し、より高品質な信号がより低品質な信号よりも高い割合で表現されて出力チャネルの品質全体を向上するのが好ましい。
【０１１０】
例示的な実施形態において、１つ以上の第２の復号化チャネル表現を生成する場合にチャネルエネルギ補償は第２の復号化処理に統合される。この状況では、復号化ダウンミックス信号のエネルギと残差誤差信号のエネルギとを推定し、復号化ダウンミックス信号のエネルギと残差誤差信号のエネルギとに基づき第２の復号化処理を行うことは有益である。
【０１１１】
別の例示的な実施形態において、残差誤差信号と復号化チャネル表現とを結合した後にチャネルエネルギ補償が行われる。この状況では、残差誤差信号と第１の復号化処理及び第２の復号化処理の少なくとも１つからの復号化チャネル表現とが結合されてマルチチャネル合成になり、結合マルチチャネル合成のエネルギが推定される。次に、チャネルエネルギ補償が結合マルチチャネル合成の推定エネルギと推定入力チャネルエネルギとに基づき行われる。
【０１１２】
特定の例において、少なくとも１つの第２の復号化チャネル表現を生成する第２の復号化処理は予測チャネルを合成することを含み、残差復号化は残差予測誤差信号を生成することを含む。この例示的な状況では、少なくとも１つの第２の復号化チャネル表現を生成する第２の復号化処理は、オーディオ入力チャネルの１つ以上のエネルギ表現を受信ビットストリームの第２の部分から導出し、エネルギ表現に少なくとも部分的に基づきチャネル予測パラメータを推定し、復号化ダウンミックス信号と推定チャネル予測パラメータとに基づき予測チャネルを合成することを含む。
【０１１３】
以下、３つの異なる例示的な実現例を下記の表に簡単にまとめ、より詳細に後述する。下記の復号化例Ａ〜Ｃは一般に上述の符号化例Ａ〜Ｃに対応する。
【０１１４】
例Ａ
エネルギ表現の導出：
・チャネルエネルギレベル差とデルタエネルギ測度とを受信ビットストリームの第２の部分から導出する。
入力チャネルエネルギの推定：
・復号化ダウンミックス信号の推定エネルギとチャネルエネルギレベル差とデルタエネルギ測度とに基づく。
チャネル予測パラメータの推定：
・推定入力チャネルエネルギと復号化ダウンミックス信号の推定エネルギと残差誤差信号の推定エネルギとに基づく。
【０１１５】
例Ｂ
エネルギ表現の導出：
・チャネルエネルギレベル差と正規化エネルギ補償パラメータとを受信ビットストリームの第２の部分から導出する。
入力チャネルエネルギの推定：
・復号化ダウンミックス信号の推定エネルギとチャネルエネルギレベル差と正規化エネルギ補償パラメータとに基づく。
チャネル予測パラメータの推定：
・チャネルエネルギレベル差に基づく。
予測チャネルの合成：
・復号化ダウンミックス信号と推定チャネル予測パラメータとに基づく。
結合：
・残差誤差信号と合成予測チャネルとを結合して結合マルチチャネル合成にする。
チャネルエネルギ補償（結合後）：
・結合マルチチャネル合成のエネルギを推定し、
・推定入力チャネルエネルギと結合マルチチャネル合成の推定エネルギとに基づきエネルギ補正係数を決定し、
・エネルギ補正係数を結合マルチチャネル合成に適用してマルチチャネルオーディオ信号を生成する。
【０１１６】
例Ｃ
エネルギ表現の導出：
・チャネルエネルギレベル差とエネルギ正規化入力チャネル相互相関パラメータとを受信ビットストリームの第２の部分から導出する。
入力チャネルエネルギの推定：
・復号化ダウンミックス信号の推定エネルギとチャネルエネルギレベル差とエネルギ正規化入力チャネル相互相関パラメータとに基づく。
チャネル予測パラメータの推定：
・チャネルエネルギレベル差とエネルギ正規化入力チャネル相互相関パラメータとに基づく。
予測チャネルの合成：
・復号化ダウンミックス信号と推定チャネル予測パラメータとに基づく。
結合：
・残差誤差信号と合成予測チャネルとを結合して結合マルチチャネル合成にする。
チャネルエネルギ補償（結合後）：
・結合マルチチャネル合成のエネルギを推定し、
・推定入力チャネルエネルギと結合マルチチャネル合成の推定エネルギとに基づきエネルギ補正係数を決定し、
・エネルギ補正係数を結合マルチチャネル合成に適用してマルチチャネルオーディオ信号を生成する。
【０１１７】
構造上の観点から、図２０及び図２１の例示的なブロック図を参照して例示するように、本発明はオーディオ符号化装置及び対応するオーディオ復号化装置に関する。
【０１１８】
図２０は、オーディオ符号化装置の一例を示す概略ブロック図である。オーディオ符号化装置１００は、少なくとも２つのチャネルを有するマルチチャネルオーディオ信号のオーディオ入力チャネル群の信号表現に作用するように構成される。
【０１１９】
基本的な符号化装置１００は、第１のエンコーダ１３０と、第２のエンコーダ１４０と、エネルギ推定器１４２と、エネルギ表現生成器１４４と、エネルギ表現エンコーダ１４６と、残差生成器１５５と、残差エンコーダ１６０とを含む。最終符号化パラメータは、復号化側に転送するためにマルチプレクサ１５０により通常収集される。
【０１２０】
第１のエンコーダ１３０は、第１の符号化処理においてオーディオ入力チャネルのダウンミックス信号を含む第１の表現を受信して符号化するように構成される。ダウンミックス部１２０は、好適な入力チャネル群をダウンミックス信号にダウンミキシングするために使用されてもよい。ダウンミックス部１２０は基本的な符号化装置１００の一体部分とみなしてもよいし、「外部の」サポート部とみなしてもよい。
【０１２１】
更に局所合成器１３２は、第１の符号化処理に関連して局所合成を行い、第１の符号化処理の符号化誤差の表現を含む局所復号化ダウンミックス信号を生成するように配置される。局所合成器１３２は第１のエンコーダと一体化されるのが好ましいが、第１のエンコーダに関連して符号化側で実現される別箇のデコーダとして提供されてもよい。
【０１２２】
第２のエンコーダ１４０は、少なくとも局所復号化ダウンミックス信号を入力として使用し、第２の符号化処理において前記オーディオ入力チャネルの第２の表現を受信して符号化するように構成される。
【０１２３】
エネルギ推定器１４２は、前記オーディオ入力チャネルの入力チャネルエネルギを推定するように構成され、エネルギ表現生成器１４４は、オーディオ入力チャネルの推定入力チャネルエネルギに基づきオーディオ入力チャネルの少なくとも１つのエネルギ表現を生成するように構成される。エネルギ表現エンコーダ１４６は、エネルギ表現を符号化するように構成される。このように入力チャネルエネルギが符号化側で推定され符号化されてもよい。
【０１２４】
エネルギ推定器１４２は第２のエンコーダ１４０の一体部分として実現されてもよいし、第２のエンコーダの外部で専用器として配置されてもよい。例示的な実施形態において、後からより詳細に例示するように、エネルギ表現生成器１４４とエネルギ表現エンコーダ１４６とは第２のエンコーダ１４０内で実現されると都合がよい。別の実施形態において、エネルギ表現処理は第２のエンコーダの外部で提供されてもよい。
【０１２５】
残差生成器１５５は、少なくとも第２の符号化処理を含む複数の符号化処理の少なくとも１つから残差誤差信号を生成するように構成され、残差エンコーダ１６０は、第３の符号化処理において残差誤差信号の残差符号化を行うように構成される。
【０１２６】
エネルギ表現生成器１４４で生成され符号化されたエネルギ表現により、復号化側の出力チャネルのエネルギが推定入力チャネルエネルギと一致可能になる。あるいはエネルギ表現により、出力チャネルがエネルギ及び品質の双方の点で入力チャネルに一致可能になる。
【０１２７】
エネルギ表現生成器１４４とエネルギ表現エンコーダ１４６とは、少なくとも１つの周波数帯域の多数のフレームの各々に対してエネルギ表現を生成して符号化するように構成されるのが好ましい。エネルギ推定器１４２は入力チャネルエネルギを連続して推定するように構成されてもよく、あるいはエネルギ表現生成器１４４とエンコーダ１４６との動作に適応された選択されたフレーム及び／又は周波数帯域群のみに対して構成されてもよい。
【０１２８】
特定の例において、第１のエンコーダ１３０はダウンミックスエンコーダであり、第２のエンコーダ１４０は１つ以上の予測チャネルを生成するチャネル予測に基づき動作するように構成されたパラメトリックエンコーダであり、残差生成器１５５は残差予測誤差信号を生成するように構成される。この例示的な状況では、第２のエンコーダ１４０はチャネル予測パラメータと共に推定入力チャネルエネルギを一緒に表現して符号化するように構成されるのが好ましい。
【０１２９】
予測ベースの符号化と残差符号化とに結合されたダウンミックス符号化の例示的な状況に対して３つの異なる例示的な実現例を下記にまとめる。更なる詳細は後述する。
【０１３０】
例Ａ
本例においてエネルギ表現生成器１４４は、チャネルエネルギレベル差を決定する決定部と、チャネルエネルギレベル和を決定する決定部と、第１の符号化処理に関連してチャネルエネルギレベル和と局所合成からの局所復号化ダウンミックス信号のエネルギとに基づき所謂デルタエネルギ測度を決定する決定部とを含む。エネルギ表現エンコーダ１４６は、チャネルエネルギレベル差を量子化する量子化器と、デルタエネルギ測度を量子化する量子化器とを含む。
【０１３１】
例えば、第２のエンコーダ１４０が非量子化チャネル予測パラメータに基づきチャネル予測を行うことも有益である。
【０１３２】
例Ｂ
本例においてエネルギ表現生成器１４４は、チャネルエネルギレベル差を決定する決定部と、チャネルエネルギレベル和を決定する決定部と、第１の符号化処理に関連してチャネルエネルギレベル和と局所合成からの局所復号化ダウンミックス信号のエネルギとに基づきデルタエネルギ測度を決定する決定部と、デルタエネルギ測度と局所復号化ダウンミックス信号のエネルギにより正規化された予測チャネルのエネルギとに基づき所謂正規化エネルギ補償パラメータを決定する決定部とを含む。エネルギ表現エンコーダ１４６は、チャネルエネルギレベル差を量子化する量子化器と、正規化エネルギ補償パラメータを量子化する量子化器とを含む。
【０１３３】
例えば第２のエンコーダ１４０は、量子化チャネルエネルギレベル差から導出された量子化チャネル予測パラメータに基づきチャネル予測を行うように構成されてもよい。
【０１３４】
例Ｃ
本例においてエネルギ表現生成器１４４は、チャネルエネルギレベル差を決定する決定部と、エネルギ正規化入力チャネル相互相関パラメータを決定する決定部とを含む。エネルギ表現エンコーダ１４６は、チャネルエネルギレベル差を量子化する量子化器と、エネルギ正規化入力チャネル相互相関パラメータを量子化する量子化器とを含む。
【０１３５】
例えば第２のエンコーダ１４０は、量子化チャネルエネルギレベル差から導出された量子化チャネル予測パラメータと量子化エネルギ正規化入力チャネル相互相関パラメータとに基づきチャネル予測を行うように構成されてもよい。
【０１３６】
図２１は、オーディオ復号化装置の一例を示す概略ブロック図である。オーディオ復号化装置２００は、少なくとも２つのチャネルを有するマルチチャネルオーディオ信号を再構成するための受信ビットストリームに作用するように構成される。受信ビットストリームは符号化側からビットストリームデマルチプレクサ２５０により通常受信され、ビットストリームデマルチプレクサ２５０は受信ビットストリームを受信ビットストリーム全体の関連部分集合又は部分に分割する。
【０１３７】
基本的なオーディオ復号化装置２００は、第１のデコーダ２３０と、第２のデコーダ２４０と、入力チャネルエネルギ推定器２４２と、残差デコーダ２６０と、結合／チャネルエネルギ補償手段２７０とを含む。
【０１３８】
第１のデコーダ２３０は、受信ビットストリームの第１部分に基づき復号化ダウンミックス信号を含む１つ以上の復号化チャネル表現を生成するように構成される。
【０１３９】
第２のデコーダ２４０は、復号化ダウンミックス信号の推定エネルギとオーディオ入力チャネルの少なくとも１つのエネルギ表現を代表する受信ビットストリームの第２の部分とに基づき１つ以上の第２の復号化チャネル表現を生成するように構成される。
【０１４０】
入力チャネルエネルギ推定器２４２は、復号化ダウンミックス信号の推定エネルギとオーディオ入力チャネルの少なくとも１つのエネルギ表現を代表する受信ビットストリームの第２の部分とに基づきオーディオ入力チャネルの入力チャネルエネルギを推定するように構成される。
【０１４１】
残差デコーダ２６０は、残差誤差信号情報を代表する受信ビットストリームの第３の部分に基づき第３の復号化処理で残差復号化を行い、残差誤差信号を生成するように構成される。
【０１４２】
結合／チャネルエネルギ補償手段２７０は、残差誤差信号と少なくとも第２のデコーダ／復号化処理を含む第１のデコーダ／復号化処理及び第２のデコーダ／復号化処理の少なくとも１つからの復号化チャネル表現とを結合し、マルチチャネルオーディオ信号を生成するために推定入力チャネルエネルギに少なくとも部分的に基づきチャネルエネルギ補償を行うように構成される。
【０１４３】
例えば、結合及びチャネルエネルギ補償を行う手段２７０は、マルチチャネルオーディオ信号の出力チャネルのエネルギを推定入力チャネルエネルギに一致させるように構成されてもよい。しかし、結合及びチャネルエネルギ補償を行う手段２７０は、出力チャネルをエネルギ及び品質の双方の点で符号化側の対応する入力チャネルに一致させるように構成し、より高品質な信号がより低品質な信号よりも高い割合で表現されて出力チャネルの品質全体を向上するのが好ましい。
【０１４４】
後述の例示的な実施形態から理解されるように、結合／チャネルエネルギ補償の全体構造はいくつかの異なるやり方で実現できる。
【０１４５】
例えば、チャネルエネルギ補償は第２のデコーダに統合されてもよい。本例において、第２のデコーダ２４０は復号化ダウンミックス信号のエネルギと残差誤差信号のエネルギとに基づき動作するように構成されるのが好ましく、これはオーディオ復号化装置２００が復号化ダウンミックス信号のエネルギと残差誤差信号のエネルギとを推定する手段も具備することを意味する。
【０１４６】
あるいは復号化装置は、残差誤差信号と関連復号化チャネル表現とを結合して結合マルチチャネル合成にする結合器と、チャネルエネルギ補償を結合マルチチャネル合成に適用してマルチチャネルオーディオ信号を生成するチャネルエネルギ補償器とを含む。本例において、オーディオ復号化装置は結合マルチチャネル合成のエネルギを推定する推定器を含むのが好ましく、チャネルエネルギ補償器は結合マルチチャネル合成の推定エネルギと推定入力チャネルエネルギとに基づきチャネルエネルギ補償を適用するように構成される。
【０１４７】
特定の例において、第１のデコーダ２３０はダウンミックスデコーダであり、第２のデコーダ２４０は予測チャネルを合成するように構成されたパラメトリックデコーダであり、残差デコーダ２６０は残差予測誤差信号を生成するように構成される。この例示的な状況では第２のデコーダ２４０は、オーディオ入力チャネルのエネルギ表現を受信ビットストリームの第２の部分から導出する（又はそのように構成された）導出器２４１と、エネルギ表現に少なくとも部分的に基づきチャネル予測パラメータを推定する推定器と、復号化ダウンミックス信号と推定チャネル予測パラメータとに基づき予測チャネルを合成する合成器とを含んでもよい。
【０１４８】
予測ベースの復号化及び残差復号化と組み合わされたダウンミックス復号化の例示的な状況に対して３つの異なる例示的な実現例を以下にまとめる。更なる詳細は後述する。
【０１４９】
例Ａ
本例において導出器２４１は、チャネルエネルギレベル差とデルタエネルギ測度とを受信ビットストリームの第２の部分から導出するように構成される。入力チャネルエネルギを推定する推定器２４２は、復号化ダウンミックス信号の推定エネルギと、チャネルエネルギレベル差と、デルタエネルギ測度とに基づき入力チャネルエネルギを推定するように構成される。チャネル予測パラメータを推定する推定器は、推定入力チャネルエネルギと、復号化ダウンミックス信号の推定エネルギと、残差誤差信号の推定エネルギとに基づきチャネル予測パラメータを推定するように構成されるのが好ましい。
【０１５０】
例Ｂ
本例において導出器２４１は、チャネルエネルギレベル差と正規化エネルギ補償パラメータとを前記受信ビットストリームの第２の部分から導出するように構成される。入力チャネルエネルギを推定する推定器２４２は、復号化ダウンミックス信号の推定エネルギと、チャネルエネルギレベル差と、正規化エネルギ補償パラメータとに基づき入力チャネルエネルギを推定するように構成される。チャネル予測パラメータを推定する推定器は、チャネルエネルギレベル差に基づきチャネル予測パラメータを推定するように構成され、予測チャネルを合成する合成器は、復号化ダウンミックス信号と推定チャネル予測パラメータとに基づき予測チャネルを合成するように構成される。本例において、結合及びチャネルエネルギ補償を行う手段２７０は、残差誤差信号と合成予測チャネルとを結合して結合マルチチャネル合成にする結合器と、チャネルエネルギ補償器とを含む。チャネルエネルギ補償器は、結合マルチチャネル合成のエネルギを推定する推定器と、推定入力チャネルエネルギと結合マルチチャネル合成の推定エネルギとに基づきエネルギ補正係数を決定する決定器と、エネルギ補正係数を結合マルチチャネル合成に適用してマルチチャネルオーディオ信号を生成するエネルギ補正器とを含む。
【０１５１】
例Ｃ
本例において導出器２４１は、チャネルエネルギレベル差とエネルギ正規化入力チャネル相互相関パラメータとを受信ビットストリームの第２の部分から導出するように構成される。入力チャネルエネルギを推定する推定器２４２は、復号化ダウンミックス信号の推定エネルギと、チャネルエネルギレベル差と、エネルギ正規化入力チャネル相互相関パラメータとに基づき入力チャネルエネルギを推定するように構成される。チャネル予測パラメータを推定する推定器は、チャネルエネルギレベル差とエネルギ正規化入力チャネル相互相関パラメータとに基づきチャネル予測パラメータを推定するように構成されるのが好ましい。予測チャネルを合成する合成器は、復号化ダウンミックス信号と推定チャネル予測パラメータとに基づき予測チャネルを合成するように構成される。本例において、結合及びチャネルエネルギ補償を行う手段２７０は、残差誤差信号と合成予測チャネルとを結合して結合マルチチャネル合成にする結合器と、チャネルエネルギ補償器とを含む。本例においてチャネルエネルギ補償器は、結合マルチチャネル合成のエネルギを推定する推定器と、推定入力チャネルエネルギと結合マルチチャネル合成の推定エネルギとに基づきエネルギ補正係数を決定する決定器と、エネルギ補正係数を結合マルチチャネル合成に適用してマルチチャネルオーディオ信号を生成するエネルギ補正器とを含む。
【０１５２】
特定の例において、本発明は以下の２つの問題の内少なくとも１つ、好ましくは２つを解決することを目的とする。すなわち、最適なチャネル予測を得ること及び出力チャネルエネルギに対して明示的な制御を維持することである。信号成分を単純に加算するとエネルギ及び品質全体の点から不安定な印象になってしまうように、信号成分はエネルギ及び品質において個別の経時変動を示すかもしれない。エネルギ及び品質の変動には種々の理由があるが、この内いくつかを下記に示す。
【０１５３】
・送信条件により信号成分が失われるか又は劣化する。
・損失エネルギはデコーダで回復されることが既知であるため、信号成分がエンコーダで故意に減衰される。そのような減衰は、例えば知覚重要性に基づいてもよい。
・信号の一部を表現するエンコーダ全体に対する制限があるため、信号の一部が失われる可能性がある。例えばビットレートやモデル化能力の制限のため、信号の一部がエンコーダ全体の範囲外になるかもしれない。一般的な観点から見ると、個別のエンコーダ及び関連したデコーダの処理の各々は、真の入力信号が投影される部分空間を表現している。最終残差又は符号化誤差は、エンコーダ及びデコーダ全体を表現する部分空間の合体に直交している。最終残差はこれらの部分空間では表現できないが、入力エネルギと受信部分空間成分のエネルギとが分かるか又は少なくとも推定できればそのエネルギは推定し補償できる。
【０１５４】
これらの問題や他の問題に対する効率的な解決策は、例えば上述のように異なる成分の起こり得るエネルギ及び品質変動に対してロバスト性を有するようにエネルギと予測パラメータとの双方を一緒に表現して符号化することにより実現してもよい。
【０１５５】
本発明は、一般に符号化手順全体と関連した復号化手順とに関する。符号化手順は、オーディオ入力チャネル群の信号表現に作用する少なくとも２つの信号符号化処理を含む。それは入力チャネルのエネルギを推定する専用プロセスも含む。本発明の基本概念は、第１の符号化処理に関連して局所合成を使用し、第１の符号化処理の符号化誤差の表現を含む局所復号化信号を生成し、この局所復号化信号を入力として第２の符号化処理に適用することである。符号化処理の流れは、符号化処理全体の改良ステップ又は信号の異なる特性の取り込みとみなすことができる。
【０１５６】
例えば、第１の符号化処理はモノラル符号化処理又はより一般的にはダウンミックスエンコーダ等の主符号化処理であり、第２の符号化処理はステレオ符号化処理又は一般的なパラメトリック符号化処理等の補助符号化処理である。符号化手順全体は少なくとも２つ（多重）のオーディオ入力チャネルで動作し、より複雑なマルチチャネル符号化に加えてステレオ符号化を含む。
【０１５７】
各符号化処理は復号化処理に関連付けられる。復号化手順全体において、出力チャネルがエネルギ及び品質の双方の点で入力チャネルに近づくように各符号化処理からの復号化信号を結合するのが好ましい。通常、エネルギ及び品質がデコーダにある信号で最適化されるように結合ステップは部分的に又は全体的に１つ以上の信号表現の起こり得る損失にも適合する。結合ステップにおいて、より高品質な信号がより低品質な信号よりも高い割合で表現されて出力チャネルの品質全体を向上するように信号成分の品質を考慮してもよい。
【０１５８】
構造又は実現性の観点から、本発明はエンコーダ及び関連したデコーダに関する。エンコーダ全体は、入力チャネルの異なる表現を符号化するための少なくとも２つのエンコーダを基本的に具備する。第１のエンコーダに関連した局所合成は局所復号化信号を生成し、この局所復号化信号は入力として第２のエンコーダに適用される。エンコーダ全体は、入力チャネルのエネルギ表現も生成する。デコーダ全体は、エンコーダでの各符号化手順に関連した符号化手順を含む。更にデコーダは、復号化成分を安定したエネルギ及び品質と結合する結合ステップを含み、１つ以上の復号化信号の起こり得る部分又は総損失に直面する。
【０１５９】
・本発明は以下の２つの問題の内少なくとも１つ、好ましくは２つを解決することを目的とする。すなわち、最適なチャネル予測を得ること及び出力チャネルエネルギに対して明示的な制御を維持することである。信号成分を単純に加算するとエネルギ及び品質全体の点から不安定な印象になってしまうように、信号の成分はエネルギ及び品質において個別の経時変動を示すかもしれない。
【０１６０】
これらの問題や他の問題に対する解決策は、例えば異なる成分の起こり得るエネルギ及び品質変動に対してロバスト性を有するようにエネルギと予測パラメータとの双方を一緒に表現して符号化することにより実現してもよい。
【０１６１】
以下、エネルギ保存を得る異なる方法の非限定例、すなわち実施形態Ａ、Ｂ及びＣを示す。これらの実施形態は単なる例であることを理解すべきである。例えば、これらの実施形態ではステレオアプリケーションに主に焦点を当てているが、３つ以上のオーディオチャネルを含むアプリケーションに対して一般化してもよい。これらの実施形態の共通点は、残差符号化において変動分解能で合成エネルギを保存することである。例示的な実施形態のいくつかの差異は更に後述する。
【０１６２】
例示的なステレオの場合の概要を図７に示す。第１のステップＳ２１において、エンコーダは入力信号に対してダウンミックスを行い、それをモノラルエンコーダに送り、ステップＳ２２において局所復号化ダウンミックス信号を抽出する。ステップＳ２３において、エンコーダは入力チャネルエネルギを推定して復号化する。次にステップＳ２４において、チャネル予測パラメータが導出される。ステップＳ２５において、予測／パラメトリックステレオの局所合成が作成され、入力信号から減算され、ステップＳ２６において好適な方法で符号化される予測／パラメトリック残差を形成する。ステップＳ２７において更なる符号化ステージが可能ならば、更に繰返し改良ステップを採用してもよい。これは、局所合成を行い、符号化予測残差を前回の繰返しからの予測残差から減算し、現在の繰返しの新しい残差を符号化することによりステップＳ２８で実行される。図７に示す例示的なエンコーダ処理は、全ての実施形態Ａ、Ｂ及びＣで有効な概要を構成する。しかし、更に説明するように、図７に概要を示したステップの根底にある詳細は各実施形態で異なる。
【０１６３】
例示的なデコーダは、エンコーダでの局所復号化ダウンミックス信号と同一の復号化ダウンミックス信号を再構成する。入力チャネルエネルギは、符号化エネルギ表現と共に復号化ダウンミックス信号を使用して推定される。チャネル予測パラメータが導出される。デコーダは更に合成信号のエネルギを分析し、これらのエネルギを推定入力チャネルエネルギに調節する。実施形態Ａで説明するように、このステップはチャネル予測ステップに含まれてもよい。更に、より低品質の成分がより高品質の成分に対して抑制されるようにエネルギ調整処理は信号成分の品質を考慮してもよい。
【０１６４】
非特許文献５に関して記したように、本発明を１チャネル当りの多重成分を可能にする予測ベースのアップミックスとみなしてもよく、更にエネルギベースアップミックスのエネルギ保存特性を有する。
【０１６５】
用語「アップミックス」はＭＰＥＧサラウンドの文脈で一般に使用されるが、表現「チャネル予測」及び「パラメトリックマルチチャネル合成」と同義で以下に使用される。
【０１６６】
符号化／復号化はフレーム単位で行わることが多いが、種々の大きさのフレームに対してビット割当てと符号化／復号化とを行うことができ、信号適応的最適化フレーム処理を可能にする。
【０１６７】
以下の実施形態は単に例として挙げるのであり、本発明がこれらに限定されるものではないことを理解すべきである。
【０１６８】
実施形態Ａ
本非限定例において、エンコーダ及びデコーダはステレオ入力及び出力信号でそれぞれ動作する。本実施形態の概要を図９Ａに示す。図９Ａのエンコーダは、ステレオ入力信号からモノラル信号を作成するダウンミキサと、ダウンミックス信号を符号化して局所復号化ダウンミックス合成を生成するモノラルエンコーダとを基本的に含む。更にエンコーダは、局所復号化ダウンミックス信号を使用して入力ステレオチャネルの第１の表現を作成し、また入力チャネルエネルギを推定し、エネルギ表現を作成し、デコーダで使用されるこの表現を符号化するパラメトリックステレオエンコーダを含む。エンコーダは、残差エンコーダで符号化されるステレオ予測残差も作成する。図９Ａのデコーダは、エンコーダの局所復号化ダウンミックス信号に対応する復号化ダウンミックス信号を作成するモノラルデコーダを含む。デコーダは、符号化ステレオ予測残差を復号化する残差デコーダも含む。最後に、デコーダはエネルギ測定部とパラメトリックステレオデコーダとを含む。
【０１６９】
図８は、フローチャート形式でデコーダの動作を説明する。第１のステップＳ３１においてモノラル復号化を行い、ステップＳ３２において残差復号化を行う。ステップＳ３３は残差信号エネルギのエネルギ測定を含む。ステップＳ３４において統合エネルギ補償と共にパラメトリックステレオ合成を行い、ステップＳ３５において復号化残差とパラメトリックステレオ合成との連結を行う。実施形態Ａのエネルギ符号化及び復号化とチャネル予測とを更に詳細に説明する。
【０１７０】
（エネルギ符号化及び復号化  −  実施形態Ａ）
エネルギ符号化のために、まず入力チャネルエネルギを定義する。
【０１７１】
ここでは、フレームインデクスｍの周波数帯域ｂに対する入力チャネルのサンプル当りのエネルギを、
0005608660.tif 000018
で表す。
【０１７２】
0005608660.tif 000019
【０１７３】
エネルギ測定の実際の実現例では、帯域幅正規化は１つの帯域における全てのエネルギパラメータで等しいため省略できる。
【０１７４】
左右チャネルのエネルギ差は知覚的に重要である（非特許文献２）。エネルギバランスに対する明示的な制御を得るために、チャネルレベル差（ＣＬＤ）及びチャネルレベル和（ＣＬＳ）を形成する。
【０１７５】
0005608660.tif 000020
ＣＬＤのＤb（ｍ）は、ＣＬＤ感度の知覚測度を考慮するコードブックを使用して対数領域で量子化するのが好ましい。ＣＬＳのＳb（ｍ）はダウンミックス信号
0005608660.tif 000021
のエネルギと強い相関を示す。復号化ダウンミックス信号はステレオデコーダで利用可能なため、この信号に対して以下のようにデルタエネルギ測度を形成する。
0005608660.tif 000022
更に、図６に例示するように、ＳとＤは従属変数である。Ｄの値が大きいほどＳの分布は狭くなり、異なるコードブックをＣＬＤに応じて選択してもよい。ＣＬＤの極値に対してＣＬＳは１つのチャネルに支配され、ゼロビットを使用した定数に設定できる。例えば、
0005608660.tif 000023
と仮定すると、
0005608660.tif 000024
となる。大きいＣＬＤに対してＣＬＳは４の値に収束し、これは図６で観察できる６ｄＢレベルに対応する。６ｄＢ値からの偏差はモノラルダウンミックス信号における符号化雑音によるものである。左側のチャネルエネルギは、ダウンミックス係数が１／２であるためモノラルエネルギよりも低い単なる６ｄＢである。この依存性を利用してＣＬＳを量子化ＣＬＤに応じて異なる分解能で符号化する。ＣＬＳはエネルギ関係を表すため、このパラメータを対数領域で量子化する。
【０１７６】
チャネルエネルギ［σb,L（ｍ）  σb,R（ｍ）］Tは、変数Ｄb（ｍ）、ΔＳb（ｍ）及び
0005608660.tif 000025
を使用して、以下のように表現できる。
【０１７７】
0005608660.tif 000026
【０１７８】
デコーダでは量子化パラメータ^Ｄb（ｍ）及びΔ^Ｓb（ｍ）を使用して推定チャネルエネルギ^σb2を以下のように導出する。
【０１７９】
0005608660.tif 000027
【０１８０】
（チャネル予測  −  実施形態Ａ）
エンコーダで使用されるチャネル予測パラメータｗ'b（ｍ）は量子化せず、これにより予測残差が最小であることを保証する。予測パラメータの量子化からの誤差は予測残差に転送されない。
【０１８１】
エネルギが符号化され、符号化ダウンミックス信号と共にデコーダに転送されたとすると、チャネル予測パラメータはエネルギから推定できる。完全ステレオ合成は以下のように表現できる。
【０１８２】
0005608660.tif 000028
ただし、
0005608660.tif 000029
は、フレームインデクスｍの帯域ｂの周波数ビンｋの量子化残差信号、^ｗb（ｍ）はチャネル予測係数である。対応するチャネルエネルギは以下の通りである。
【０１８３】
0005608660.tif 000030
【０１８４】
高レート仮定の下で予測誤差εは以下のように予測信号と無相関になる。
【０１８５】
0005608660.tif 000031
この仮定を使用し、真の合成エネルギ
0005608660.tif 000032
を量子化近似
0005608660.tif 000033
で代替することにより^ｗについて上記の式を解く。
【０１８６】
0005608660.tif 000034
【０１８７】
なお、平方根の符号はエンコーダでは不明であり符号化される必要がある。しかし、典型的な入力に対して予測パラメータは範囲［０，２］内にあり、正符号はほとんどの信号に対して問題なく動作すると仮定する。この切捨ては、予測係数の１つを［０，２］に限定し、式（１４）を使用して他の係数を得ることで達成できる。符号を符号化したい場合、負符号を有するチャネルはせいぜい１つであるという事実を単純な可変長コードを使用して利用する。
【０１８８】
0005608660.tif 000035
表１：チャネル予測係数の符号を符号化する可変長コードブック。これは、同一帯域で２つの符号が負になることはないという事実に加え、２つの正符号の確率が高いことを利用する。
【０１８９】
本実施形態を利用し、出力チャネルエネルギはチャネル予測係数を使用して補正される。復号化残差信号が真の残差に近ければ、チャネル予測係数はエンコーダで使用される最適予測係数に近くなる。例えば、低ビットレート符号化のために残差符号化エネルギが真の残差エネルギより低ければ、パラメトリックステレオからの寄与率を増加しエネルギ損失を補償する。残差符号化がゼロならば、アルゴリズムは本質的にデフォルトのインテンシティステレオ符号化になる。
【０１９０】
実施形態Ｂ
第２の非限定例において、エンコーダ及びデコーダはステレオ信号で動作する。本実施形態の概要を図９Ｂに示し、ここで図９Ｂのエンコーダは、ステレオ入力信号からモノラル信号を作成するダウンミキサと、ダウンミックス信号を符号化して局所復号化ダウンミックス合成を生成するモノラルエンコーダとを基本的に含む。更にエンコーダは、局所復号化ダウンミックス信号を使用して入力ステレオチャネルの第１の表現を作成し、また入力チャネルエネルギを推定し、エネルギ表現を作成し、デコーダで使用されるこの表現を符号化するパラメトリックステレオエンコーダを含む。エンコーダは、残差エンコーダで符号化されるステレオ予測残差も作成する。図９Ｂのデコーダは、エンコーダの局所復号化ダウンミックス信号に対応する復号化ダウンミックス信号を作成するモノラルデコーダを含む。デコーダは、符号化ステレオ予測残差を復号化する残差デコーダも含む。更にデコーダは、パラメトリックステレオデコーダと、結合信号合成で動作するエネルギ測定部と、結合ステレオ合成を修正して最終ステレオ合成を作成するエネルギ補正部とを含む。図１０のフローチャートはデコーダ動作のステップを記述する。ステップＳ４１においてモノラル復号化を行い、その後ステップＳ４２においてパラメトリックステレオ合成を行い、ステップＳ４３においてステレオ残差復号化を行う。ステップＳ４４において残差及びパラメトリックステレオ合成を連結し、ステップＳ４５において結合合成エネルギを測定する。最後に、ステップＳ４６は結合合成のエネルギ調整を含む。実施形態Ｂのエネルギ符号化及び復号化とチャネル予測とを更に詳細に説明する。
【０１９１】
（エネルギ符号化及び復号化  −  実施形態Ｂ）
エネルギを符号化するオプションの戦略が導出できる。ＣＬＤのＤb（ｍ）は上述のように導出する。次に、ＣＬＤはチャネル予測係数の関係を与える残差符号化せずに予測ステレオ寄与率に保存すべきであると仮定する。
【０１９２】
0005608660.tif 000036
【０１９３】
式（１４）を使用して、チャネル予測係数をＣＬＤから以下のように計算できる。
【０１９４】
0005608660.tif 000037
【０１９５】
合成ステレオ信号の共通スケーリング係数Ｃb（ｍ）はＣＤＬに影響しない。残差符号化がないと再度仮定すれば、このスケーリング係数を合成に加えることで合成信号エネルギを一致させる。
【０１９６】
0005608660.tif 000038
【０１９７】
左又は右チャネルのいずれかを使用してＣb（ｍ）について式（２６）は以下のように解ける。
【０１９８】
0005608660.tif 000039
【０１９９】
これら２つの式からは同一のＣb（ｍ）が得られる。より高い数値精度を与えるより高いエネルギチャネルの使用を選択する。
【０２００】
式（２６）及び式（１９）は入力チャネルエネルギに対して２つの表現を提供する。等式の右辺をとり、それらを等しく設定すると以下が得られる。
【０２０１】
0005608660.tif 000040
【０２０２】
上記式より以下を同定する。
【０２０３】
0005608660.tif 000041
ただし、分母
0005608660.tif 000042
は、モノラルエネルギで正規化された予測チャネルのエネルギ和に等しい。この結果、このエネルギ表現は第１の表現と同等であり、ＣＬＳパラメータΔＳb（ｍ）及びＣb2（ｍ）の正規化という点のみが異なる。ＣＬＤは実施形態Ａのように符号化される。正規化エネルギ補償パラメータとも呼ばれるエネルギ補償パラメータＣb2（ｍ）は、ΔＳb（ｍ）のように対数領域でも量子化されるが、スケーリングの違いにより異なるコードブック（実際には異なる対数値オフセット）を使用する。
【０２０４】
デコーダは、近似チャネルエネルギ
0005608660.tif 000043
を、受信パラメータ^Ｃb2（ｍ）及び^Ｄb（ｍ）と測定された復号化モノラルエネルギ
0005608660.tif 000044
とから、以下のように導出する。
【０２０５】
0005608660.tif 000045
【０２０６】
（チャネル予測  −  実施形態Ｂ）
別の方式ではエンコーダで使用されるチャネル予測係数は量子化ＣＬＤから以下のように導出される。
【０２０７】
0005608660.tif 000046
【０２０８】
この場合、同一のチャネル予測係数がエンコーダとデコーダとで使用される。これにより予測チャネルと残差符号化との間の正しい一致が保証される。
【０２０９】
（デコーダエネルギ補償  −  実施形態Ｂ）
残差符号化がないと仮定して
0005608660.tif 000047
を導出したので、残差符号化エネルギがデコーダで存在した場合にそれを補償しなければならない。まず、非拡縮ステレオ合成を以下のように行う。
【０２１０】
0005608660.tif 000048
なお、異なる予測計数をエンコーダで使用したため、符号化残差
0005608660.tif 000049
は式（２０）中の
0005608660.tif 000050
とは異なる。最終合成は、近似チャネルエネルギを復元するエネルギ補正係数を適用することにより以下のように生成される。
【０２１１】
0005608660.tif 000051
【０２１２】
残差符号化がゼロならば、エネルギ補正係数は１と評価される。この方法では、利用可能なビットレートが限定されている場合に高速仮定が保持されておらず且つ残差符号化が予測チャネルとの相関を示すという事実も補償する。
【０２１３】
実施形態Ｃ
第３の非限定例もステレオエンコーダ及びデコーダの実施形態である。本実施形態の概要を図９Ｃに示し、ここで図９Ｃのエンコーダは、ステレオ入力信号からモノラル信号を作成するダウンミキサと、ダウンミックス信号を符号化して局所復号化ダウンミックス合成を生成するモノラルエンコーダとを基本的に含む。更にエンコーダは、局所復号化ダウンミックス信号を使用して入力ステレオチャネルの第１の表現を作成し、また入力チャネルエネルギを推定し、エネルギ表現を作成し、デコーダで使用されるこの表現を符号化するパラメトリックステレオエンコーダを含む。エンコーダは、残差エンコーダで符号化されるステレオ予測残差も作成する。図９Ｃのデコーダは、エンコーダの局所復号化ダウンミックス信号に対応する復号化ダウンミックス信号を作成するモノラルデコーダを含む。デコーダは、符号化ステレオ予測残差を復号化する残差デコーダも含む。更にデコーダは、パラメトリックステレオデコーダと、結合ステレオ合成で動作するエネルギ測定部と、結合ステレオ合成を修正して最終ステレオ合成を作成するエネルギ補正部とを含む。概要の観点から実施形態Ｃのデコーダ動作は実施形態Ｂのデコーダと同様であり、図１０は２つの例のデコーダのステップを正確に記述する。実施形態Ｃのエネルギ符号化及び復号化とチャネル予測とを更に詳細に説明する。
【０２１４】
（エネルギ符号化及び復号化  −  実施形態Ｃ）
式（１２）及び式（１３）よりチャネル予測係数は正規化相互相関という１つの項を共有するが、これはエネルギ正規化入力チャネル相互相関とも呼ばれ、以下のようにρと定義される。
【０２１５】
0005608660.tif 000052
【０２１６】
式（１７）からのＤb（ｍ）の定義を使用して、代替チャネルエネルギ表現が以下のように形成できる。
【０２１７】
0005608660.tif 000053
【０２１８】
これは直線式に書き換えることができ、ρの増加に比例してエネルギが減少することを示す。
【０２１９】
0005608660.tif 000054
【０２２０】
モノラル符号化でエネルギが保存される、すなわち、
0005608660.tif 000055
と仮定すると、デコーダでの推定チャネルエネルギは以下のように表現できる。
【０２２１】
0005608660.tif 000056
【０２２２】
この方法により量子化ＣＬＤ  ^Ｄb（ｍ）は保存されることが保証されるが、^ρb（ｍ）中の量子化雑音及び符号化モノラル^Ｍb（ｍ，ｋ）のためにエネルギが多少不安定になる。エネルギの急増はエネルギ損失よりも知覚的に不快であることが経験的に知られている。デコーダでエネルギを過大に推定しないようエンコーダでρの量子化を制約することによりこれに対処できる。
【０２２３】
0005608660.tif 000057
【０２２４】
0005608660.tif 000058
で示される制約で、式（３３）からρb（ｍ）に可能な限り近接する^ρb（ｍ）を選択する。いずれのチャネルでもエネルギが過大に推定されることはない、すなわち式（３７）の２つの条件を満たすことが保証される。ほぼ無音中のエネルギバーストは知覚的により不快なため、より低エネルギのチャネルでエネルギが過大に推定されることはないことを確認する他の戦略もある。式（３５）よりρの増加に伴いエネルギ推定値が減少することが分かり、これは初期値が
0005608660.tif 000059
を満たさないならば式（３３）で与えられる値で検索を開始しインクリメンタルサーチを行えることを意味する。モノラル符号化でエネルギ損失があるならば、
0005608660.tif 000060
を最小にするより小さなρを検索したいかもしれないが、これはチャネル予測パラメータに悪影響がある。変動するρを使用したチャネル予測への効果は更に後述する。
【０２２５】
（チャネル予測  −  実施形態Ｃ）
ρとＤとを使用して、ＭＭＳＥ最適チャネル予測係数は以下のように表現できる。
【０２２６】
0005608660.tif 000061
【０２２７】
同一の入力チャネルチャネルエネルギＤ＝１の場合、チャネル予測係数はρとは無関係になる。図１１において、チャネル予測パラメータは増加するρに対して中間に移動する。この結果、ρがわずかに増加してもチャネル漏洩はわずかに増加するのみでＣＬＤは依然として保存されるという予測が得られるため、式（３７）で概略が示された方法はチャネル予測パラメータに対して安全である。
【０２２８】
更に非常に大きい負のρの場合、チャネル予測係数はＤの影響を受けない。最小ビットレートでの歪みを小さくするためにこれらの変数間の依存性を利用できる。
【０２２９】
符号化された^Ｄb（ｍ）と^ρb（ｍ）とを仮定すると、エンコーダチャネル予測係数は以下のように導出される。
【０２３０】
0005608660.tif 000062
【０２３１】
実施形態Ｂのように同一のチャネル予測係数がエンコーダとデコーダの双方で使用される。実施形態Ｂとの違いは量子化ＭＭＳＥ最適チャネル予測係数を使用したことである。更に実施形態Ｂのように復号化残差と予測チャネルとの間のエネルギ関係が保存される。
【０２３２】
（デコーダエネルギ補償  −  実施形態Ｃ）
実施形態Ｂのように予測符号化成分と残差符号化成分とを連結した後、出力チャネルエネルギが補正される。異なるパラメータがチャネル予測とエネルギ推定とで使用されるという点を除き、図１０のデコーダフローチャートの記述全体は実施形態Ｃにも有効である。実施形態Ｃでは上述のように図９Ｃのブロック図を参照する。
【０２３３】
実施形態Ａ〜Ｃの相違点
上述の例示的な実施形態Ａ、Ｂ、Ｃでは、合成ステレオ音声でＣＬＤを表現する際に同一の正確さを付与していた。また残差符号化がない場合、これらの実施形態では同等の挙動となり、この場合デフォルトのインテンシティ・ステレオアルゴリズムになる。主な相違はチャネル予測パラメータがエンコーダで使用され、これらがデコーダでどのように導出されるかである。好適な実施形態は、種々のパラメータ、例えば利用可能なビットレートや符号化及び空間情報に対する入力信号の複雑さ等に応じて異なる。
【０２３４】
実施形態Ａにおいては、最適非量子化チャネル予測係数がエンコーダで使用される。ビットレートが高く、残差符号化が完全再構成に近づくならば、デコーダで使用されるチャネル予測係数は同一である。中間ビットレートではステレオの予測部分のみが拡大されることで残差のエネルギ損失を補償する。低ビットレート残差符号化等のために残差符号化が予測ステレオ成分より雑音が多ければ、高い比率で予測ステレオを使用することが望ましい。
【０２３５】
実施形態Ｂにおいては、量子化チャネル予測係数がエンコーダで使用される。この予測はＭＭＳＥの意味では最適ではないが、予測信号及び符号化残差信号の拡張が一致することを保証する。モノラル信号の符号化誤差が支配的であり、残差が主にこの誤差を補正する場合、このことは重要である。
【０２３６】
実施形態Ｃの利点は、チャネルエネルギ及びチャネル予測係数の双方のコンパクトな表現を付与することである。パラメータは符号化に利用可能な依存性を示す。モノラル符号化がモノラル信号のエネルギを保存するものでないならば、エネルギ増加に対する追加的な予防策を追加でき、パラメトリックステレオ予測性能への影響は予測可能である。
【０２３７】
これらの戦略の内で最も有益なものは、利用可能なビットレート及び典型的な入力信号の観点から状況に応じる。しかし、Ｇ．７１８へのＳＷＢ／ステレオ拡張については実施形態Ｂが好適な結果をもたらしているが見出された。異なる周波数帯域に異なるアルゴリズムを使用することでこれらの方法は組み合わせることもできる。そのような組み合わせは適応的に行われ、この場合選択された戦略をデコーダに伝達する必要がある。既にデコーダに送信されたパラメータを使用して戦略が選択されるならば、追加的な伝達をせずに行うこともできる。
【０２３８】
他の符号化方式も上述の方法と組み合わせ可能である。
【０２３９】
本発明は、ステレオ画像知覚に対して重要なチャネルエネルギレベルを維持しながらスケーラビリティを達成する。残差符号化がない場合、システムはデフォルトのインテンシティ・ステレオアルゴリズムになる。残差符号化が増大するほど、チャネルエネルギとステレオ画像安定性を維持しながら合成出力は完全再構成へ拡張する。
【０２４０】
ＡＢリスニングテスト評価
一例として、例示的な方法Ｂをテストした。比較の基準としては、２．２ｋＨｚ〜７．０ｋＨｚの範囲でＣＬＤベースのチャネル予測（インテンシティステレオ）を使用した。２．２ｋＨｚ未満に適用される方法についてはテストした候補に対しては同一であった。図１２は票決のヒストグラムを示し、本発明に対する好みを表している。
【０２４１】
オーディオ試料は、ＡＭＲ−ＷＢ＋選択テスト試料から抽出された７つのオーディオクリップである。
【０２４２】
上述のように、本発明の原理は入力チャネル及び出力チャネルが３つ以上あるマルチチャネルシナリオにも適用可能である。
【０２４３】
以下、ｐ個の入力チャネルで動作する例示的なマルチチャネル実施形態の概要を最後に示す。
【０２４４】
入力信号は、ｐチャネルを有する多重チャネル信号
0005608660.tif 000063
であるとする。エンコーダは、ｑチャネルのダウンミックス信号
0005608660.tif 000064
を作成する。ただし、ｐ＞ｑである。ダウンミックスの特性は、原マルチチャネル信号のチャネルとチャネルエネルギ及びチャネル予測係数の表現を効率化するのに利用できるダウンミックス信号のチャネルとの間の依存性を生成できる。そのようなマルチチャネルダウンミックスは、従来技術である非特許文献５に見られるようにマルチステージで行うことができる。対毎のチャネル結合が行われたならば、ステレオ実施形態からの原理を適用することができる。ダウンミックス信号はｑチャネルで動作する第１ステージのエンコーダに送られ、局所復号化ダウンミックス信号
0005608660.tif 000065
がこの処理から抽出される。この信号はマルチチャネル予測又はアップミックスステップで使用され、入力マルチチャネル信号に対する第１の近似
0005608660.tif 000066
を作成する。この近似は原入力信号から減算されて、マルチチャネル予測残差又はパラメトリック残差を形成する。この残差は第２の符号化ステージに送られる。必要に応じて局所復号化残差信号を抽出して原残差信号から減算し、第２ステージの残差信号を作成できる。この符号化処理を繰り返し、原入力信号へ収束する更なる改良を提供するか又は信号の異なる特性を捕捉することができる。符号化予測、エネルギ及び残差パラメータはデコーダで使用されるように送信されるか又は記憶される。符号化処理の一例の概要を図１３に示す。
【０２４５】
例示的な実施形態において、デコーダ全体はエンコーダでの局所復号化ダウンミックス信号に対応するダウンミックス信号を復号化する。１つ又は複数の符号化残差は復号化される。送信済み予測及びエネルギパラメータを使用して、第１ステージのマルチチャネル予測又はアップミックスが行われる。マルチチャネル予測はエンコーダのマルチチャネル予測と異なっていてもよい。デコーダは、復号化ダウンミックス信号、予測マルチチャネル信号及び１つ又は複数の残差信号等の受信復号化信号のエネルギを測定する。入力チャネルエネルギのエネルギ推定値が計算され、復号化信号成分を結合してマルチチャネル出力信号とするのに使用される。図１４及び図１５に例示するように予測ステージの前にエネルギを測定してもよく、出力エネルギを予測と一緒に制御できる。図１６及び図１７に例示するように信号成分を連結した後にエネルギを測定し、最終ステージにおいて連結成分上で調整してもよい。
【０２４６】
上述の実施形態は例示にすぎないものであり、本発明を限定するものではないことを理解すべきである。ここに開示され請求の範囲に記載された根底にある基本原理を保持する更なる変形、変更及び改良も、本発明の範囲に含まれるものである。
【０２４７】
（略語）
AAC (Advanced Audio Coding)：アドバンストオーディオ符号化
AAC-BSAC (Advanced Audio Coding - Bit-Sliced Arithmetic Coding)：アドバンストオーディオ符号化−ビットスライス算術符号化
AMR (Adaptive Multi-Rate)：適応マルチレート
AMR-WB (Adaptive Multi-Rate Wide Band)：適応マルチレート広帯域
AOT (Audio Object Type)：オーディオ・オブジェクトタイプ
BCC (Binaural cue coding)：バイノーラルキュー符号化（非特許文献２）
BMLD (Binaural masking level difference)：両耳マスキングレベル差
CELP (Code Excited Linear Prediction)：符号励振線形予測
CfI (Call for Information)：コールフォーインフォメーション
CLD (Channel level difference)：チャネルレベル差
CLS (Channel level sum)：チャネルレベル和
EV (Embedded VBR (Variable Bit Rate))：エンベデッドＶＢＲ（可変ビットレート）
ICC (Inter-channel correlation)：チャネル間相関
ICP (Inter-channel prediction)：チャネル間予測
ITU (International Telecommunication Union)：国際電気通信連合
LSB (Least Significant Bit)：最下位ビット
MDCT (Modified discrete cosine transform)：変形離散コサイン変換
MDST (Modified discrete sinusoid transform)：変形離散サイン変換
MMSE (Minimum mean squared error)：最小平均二乗誤差
MPEG (Moving Picture Experts Group)：動画像圧縮方式の標準化作業グループ
MPEG-SLS (MPEG-Scalable to Lossless)：ＭＰＥＧ−スケーラブルロスレス
MSB (Most Significant Bit)：最上位ビット
MSE (Mean Squared Error)：平均二乗誤差
NB (Narrow Band (8 kHz samplerate))：狭帯域（８ｋＨｚサンプリングレート）
SNR (Signal-to-noise ratio)：信号対雑音比
SWB (Super Wide Band (32 kHz samplerate))：超広帯域（３２ｋＨｚサンプリングレート）
PS (Parametric Stereo)：パラメトリックステレオ
VMR-WB (Variable Multi Rate-Wide Band)：可変マルチレート広帯域
VoIP (Voice over Internet Protocol)：ボイスオーバーインターネットプロトコル
WB (Wide Band (16 kHz samplerate))：広帯域（１６ｋＨｚサンプリングレート）
xDSL (x Digital Subscriber Line)：ｘデジタル加入者回線
【図１】
0005608660.tif 000067
【図２】
0005608660.tif 000068
【図３】
0005608660.tif 000069
【図４】
0005608660.tif 000070
【図５】
0005608660.tif 000071
【図６】
0005608660.tif 000072
【図７】
0005608660.tif 000073
【図８】
0005608660.tif 000074
【図９Ａ】
0005608660.tif 000075
【図９Ｂ】
0005608660.tif 000076
【図９Ｃ】
0005608660.tif 000077
【図１０】
0005608660.tif 000078
【図１１】
0005608660.tif 000079
【図１２】
0005608660.tif 000080
【図１３】
0005608660.tif 000081
【図１４】
0005608660.tif 000082
【図１５】
0005608660.tif 000083
【図１６】
0005608660.tif 000084
【図１７】
0005608660.tif 000085
【図１８】
0005608660.tif 000086
【図１９】
0005608660.tif 000087
【図２０】
0005608660.tif 000088
【図２１】
0005608660.tif 000089